(57)【特許請求の範囲】
【請求項１】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データが生成された原画像データの２ページ目以降の原画像を縮小した副画像を表す副画像データを、前記優先順位に従うと共に各原画像データにおけるページ順に従ってすべてのページが終了するまで連続して生成して記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項２】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データが生成された原画像データの２ページ目以降の原画像を縮小した副画像を表す副画像データを、前記優先順位に従って各原画像データから１ページずつ、且つ、各原画像データにおけるページ順に従ってすべてのページが終了するまで生成して記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項３】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、副画像データがまだ生成されていない複数の原画像データのうち予め決められた数の原画像データの１ページ目の原画像を縮小した副画像を表す副画像データを前記優先順位に従って生成して記憶し、さらに、前記表示制御手段に供給された副画像データに対応する原画像データの２ページ目以降の原画像を縮小した副画像を表す副画像データを、前記優先順位に従うと共に、各原画像データにおけるページ順に従ってすべてのページが終了するまで連続して生成して記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項４】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、副画像データがまだ生成されていない複数の原画像データのうち予め決められた数の原画像データの１ページ目の原画像を縮小した副画像を表す副画像データを前記優先順位に従って生成して記憶し、さらに、前記表示制御手段に供給された副画像データに対応する原画像データの２ページ目以降の原画像を縮小した副画像を表す副画像データを、前記優先順位に従って各原画像データから１ページずつ、且つ、各原画像データにおけるページ順に従ってすべてのページが終了するまで生成して記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項５】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成し記憶する副画像生成記憶手段であって、前記原画像記憶手段に記憶されている各原画像データにおいて最も高い優先順位が割り当てられたページの原画像を縮小した副画像を表す副画像データを前記優先順位に従って前記表示領域に表示可能な個数分だけ生成して前記表示制御手段に供給した後に、前記優先順位に従って前記原画像記憶手段に記憶されている複数の原画像データのそれぞれについて、副画像データが生成された各原画像データにおいて最も高い優先順位が割り当てられたページの次ページから最終ページまでについてページ番号が昇順となるように各ページの原画像を縮小した副画像を表す副画像データを連続して生成し、当該副画像データに続けて、１ページ目から前記最も高い優先順位が割り当てられたページの前ページまでについてページ番号が昇順となるように各ページの原画像を縮小した副画像を表す副画像データを連続して生成し、生成した副画像データを記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項６】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成する副画像生成記憶手段であって、前記原画像記憶手段に記憶されている各原画像データにおいて最も高い優先順位が割り当てられたページの原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データが生成された各原画像データにおいて最も高い優先順位が割り当てられたページを除くページの原画像を縮小した副画像を表す副画像を前記優先順位に従ってすべてのページが終了するまで各原画像データから１ページずつ生成して記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項７】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成し記憶する副画像生成記憶手段であって、前記原画像記憶手段に記憶されている原画像データの最も高い優先順位が割り当てられたページを縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データがまだ生成されていない予め決められた数の原画像データの各々において最も高い優先順位が割り当てられたページの原画像を縮小した副画像を表す副画像データを前記優先順位に従って生成して記憶し、さらに、前記表示制御手段に供給された副画像データに対応する原画像データにおいて最も高い優先順位が割り当てられたページ以外のページの原画像を縮小した副画像を表す副画像データを、前記優先順位に従うと共に、前記最も高い優先順位が割り当てられたページの次ページから最終ページまでについてページ番号が昇順となるように各ページの原画像を縮小した副画像を表す副画像データを連続して生成し、当該副画像データに続けて、１ページ目から前記最も高い優先順位が割り当てられたページの前ページまでについてページ番号が昇順となるように各ページの原画像を縮小した副画像を表す副画像データを連続して生成し、生成した副画像データを記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項８】
ページ単位に区分された原画像を表す原画像データを複数記憶する原画像記憶手段と、
前記原画像記憶手段に記憶されている各原画像データが表す原画像に対して、表示の優先順位を割り当てる優先順位決定手段と、
供給される画像データが表す画像を表示手段の表示領域に表示させる表示制御手段と、
前記表示手段の表示内容を切り替える操作を受け付ける操作手段と、
前記原画像データが表す原画像を縮小した副画像を表す副画像データを生成し記憶する副画像生成記憶手段であって、前記原画像記憶手段に記憶されている各原画像データにおいて最も高い優先順位が割り当てられたページの原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、対応する副画像データがまだ生成されていない予め決められた数の原画像データの各々において最も高い優先順位が割り当てられたページの原画像を縮小した副画像を表す副画像データを前記優先順位に従って生成して記憶し、さらに、前記表示制御手段に供給された副画像データに対応する原画像データにおいて最も高い優先順位が割り当てられたページの次ページから最終ページまでについてページ番号が昇順となるように各ページの原画像を縮小した副画像を表す副画像データを生成し、これらを生成し終えると、１ページ目から前記最も高い優先順位が割り当てられたページの前ページまでについてページ番号が昇順となるように各ページの原画像を縮小した副画像を表す副画像データを生成する処理を、前記優先順位に従って原画像データから１ページに対応する副画像データを生成するたびに原画像データを変更して行うことにより、前記副画像データを生成して記憶しておき、前記表示手段の表示内容を切り替える操作が前記操作手段によって受け付けられると、記憶している前記副画像データをその生成順に従って読み出して前記表示制御手段に供給する副画像生成記憶手段と
を備えたことを特徴とする画像表示装置。
【請求項９】
画像データが表す画像を記録シートに形成する画像形成手段に対して、前記原画像データを出力した回数または頻度のうち少なくとも一方を計数する計数手段を備え、
前記優先順位決定手段は、前記計数手段によって計数された回数または頻度の順に従って前記優先順位を割り当てることを特徴とする請求項１〜請求項８のいずれか１の請求項に記載の画像表示装置。
【請求項１０】
前記原画像データを送信手段によって送信した回数または頻度のうち少なくとも一方を計数する計数手段を備え、
前記優先順位決定手段は、前記計数手段によって計数された回数または頻度の順に従って前記優先順位を割り当てることを特徴とする請求項１〜請求項８のいずれか１の請求項に記載の画像表示装置。
【請求項１１】
前記原画像データを表示手段に表示した回数または頻度のうち少なくとも一方を計数する計数手段を備え、
前記優先順位決定手段は、前記計数手段によって計数した回数または頻度の順に従って前記優先順位を割り当てることを特徴とする請求項１〜請求項８のいずれか１の請求項に記載の画像表示装置。
【請求項１２】
画像データが表す画像を記録シートに形成する画像形成手段に対して前記原画像データ
を出力した日時を記憶する日時記憶手段を備え、
前記優先順位決定手段は、前記日時記憶手段によって記憶されている日時の順に従って前記優先順位を割り当てることを特徴とする請求項１〜請求項８のいずれか１の請求項に記載の画像表示装置。
【請求項１３】
前記原画像データを送信手段によって送信した日時を記憶する日時記憶手段を備え、
前記優先順位決定手段は、前記日時記憶手段によって記憶されている日時の順に従って前記優先順位を割り当てることを特徴とする請求項１〜請求項８のいずれか１の請求項に記載の画像表示装置。
【請求項１４】
前記原画像データを表示手段に表示した日時を記憶する日時記憶手段を備え、
前記優先順位決定手段は、前記日時記憶手段によって記憶されている日時の順に従って前記優先順位を割り当てることを特徴とする請求項１〜請求項８のいずれか１の請求項に記載の画像表示装置。
【請求項１５】
前記原画像データを記憶媒体に記憶した日時を記憶する日時記憶手段を備え、
前記優先順位決定手段は、前記日時記憶手段によって記憶されている日時の順に従って前記優先順位を割り当てることを特徴とする請求項１〜請求項８のいずれか１の請求項に記載の画像表示装置。
【請求項１６】
前記優先順位決定手段は、前記原画像データの内容を所定のアルゴリズムに従って解析して前記優先順位を割り当てることを特徴とする請求項１〜請求項８のいずれか１の請求項に記載の画像表示装置。
【請求項１７】
各ユーザに付与されたユーザ優先順位を記憶するユーザ優先順位記憶手段を備え、
前記原画像データ記憶手段は、各ユーザに割り当てられた領域単位で前記原画像データを記憶し、
前記優先順位決定手段は、前記原画像データが記憶されている領域が割り当てられたユーザに付与されたユーザ優先順位に従って前記優先順位を割り当てることを特徴とする請求項１〜請求項８のいずれか１の請求項に記載の画像表示装置。
【請求項１８】
前記優先順位決定手段によって割り当てられた優先順位は前記原画像データのメタ情報として当該原画像データに含められていることを特徴とする請求項９〜請求項１７のいずれか１の請求項に記載の画像表示装置。
【発明の詳細な説明】
【技術分野】
【０００１】
本発明は、いわゆるサムネイル画像のような、原画像に対応する副画像を表示する技術に関する。
【背景技術】
【０００２】
スキャナ装置やプリンタ装置などの複数の装置を内蔵する複合機には、スキャンした原稿画像（以下、原画像という）を大量に蓄積しておき、その蓄積した原画像のうち、ユーザが指定したものをプリントアウトするという機能が備わったものがある。この種の複合機は、ユーザに所望の原画像を指定させるために、蓄積している複数の原画像の表紙などをその実寸よりも小さい低解像度の副画像（いわゆるサムネイル画像）として一覧表示する。ユーザが一覧表示された副画像の中から所望するものを指定すると、複合機は指定された副画像に対応する原画像をプリントアウトする。このようにスキャンした原画像を蓄積する領域はユーザ毎に分けて管理されているのが一般的であり、このような蓄積機能は例えば「親展ボックスサービス」と呼ばれている。
【０００３】
ところで、複合機の表示領域は一般に小さいため、一度に表示し得る副画像の個数は比較的少ない。そこで、最大表示個数を超える分の副画像については、ユーザの画面スクロール操作に従って次々と表示していくという方法が採られている。しかし、このような表示方法では、スクロール操作に伴ってその都度原画像から副画像を生成していかなければならないので、その処理に相当の時間を要してしまい、作業効率が悪化するという問題がある。画像の表示処理を高速化するための技術は従来から幾つか提案されており、例えば特許文献１には、副画像の一覧表示を高速に行うための方法が提案されている。
【特許文献１】特開２００１−１２５９１７号公報
【発明の開示】
【発明が解決しようとする課題】
【０００４】
特許文献１に記載の方法は、副画像の一覧表示が次に用意されている一覧表示へと切り替わった場合に、その切替前後で同じ副画像が含まれていると、その副画像を表示するためのデータを新たに生成することなく、その副画像を表示し続けるというものである。しかし、この方法は、切替前後で同じ副画像が含まれているという条件を満たす場合には処理時間の短縮という効果を奏するが、その条件を満たさない場合には、従来と同等の処理時間が必要となることに変わりはない。
【０００５】
また、副画像は、原画像の特定ページ（例えば表紙など）に限定されている。しかし、原画像の表紙は各原画像でほぼ同じ場合も多いから、ユーザがこのような特定ページの副画像のみを参照して所望の原画像を見つけだすのには時間がかかり、作業効率が悪くなってしまう。
【０００６】
本発明は上述した背景に鑑みてなされたものであり、その目的は、原画像に対する副画像の一覧を表示するための処理に要する時間を短くすることにある。また、本発明の別の目的は、操作者が所望の原画像を見つけ出す作業負担を従来よりも少なくすることにある。
【課題を解決するための手段】
【０００８】
上記目的を達成するために、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データが生成された原画像データの２ページ目以降の原画像を縮小した副画像を表す副画像データを、前記優先順位に従うと共に各原画像データにおけるページ順に従ってすべてのページが終了するまで連続して生成して記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
【０００９】
また、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データが生成された原画像データの２ページ目以降の原画像を縮小した副画像を表す副画像データを、前記優先順位に従って各原画像データから１ページずつ、且つ、各原画像データにおけるページ順に従ってすべてのページが終了するまで生成して記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
【００１０】
また、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、副画像データがまだ生成されていない複数の原画像データのうち予め決められた数の原画像データの１ページ目の原画像を縮小した副画像を表す副画像データを前記優先順位に従って生成して記憶し、さらに、前記表示制御手段に供給された副画像データに対応する原画像データの２ページ目以降の原画像を縮小した副画像を表す副画像データを、前記優先順位に従うと共に、各原画像データにおけるページ順に従ってすべてのページが終了するまで連続して生成して記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
【００１１】
また、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成し記憶する副画像生成記憶手段であって、前記原画像記憶手段に記憶されている原画像データの１ページ目の原画像を縮小した副画像を表す副画像データを前記優先順位に従って前記表示領域に表示可能な個数分だけ生成して前記表示制御手段に供給した後に、副画像データがまだ生成されていない複数の原画像データのうち予め決められた数の原画像データの１ページ目の原画像を縮小した副画像を表す副画像データを前記優先順位に従って生成して記憶し、さらに、前記表示制御手段に供給された副画像データに対応する原画像データの２ページ目以降の原画像を縮小した副画像を表す副画像データを、前記優先順位に従って各原画像データから１ページずつ、且つ、各原画像データにおけるページ順に従ってすべてのページが終了するまで生成して記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
【００１３】
また、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成し記憶する副画像生成記憶手段であって、前記原画像記憶手段に記憶されている各原画像データにおいて最も高い優先順位が割り当てられたページの原画像を縮小した副画像を表す副画像データを前記優先順位に従って前記表示領域に表示可能な個数分だけ生成して前記表示制御手段に供給した後に、前記優先順位に従って前記原画像記憶手段に記憶されている複数の原画像データのそれぞれについて、副画像データが生成された各原画像データにおいて最も高い優先順位が割り当てられたページの次ページから最終ページまでについてページ番号が昇順となるように各ページの原画像を縮小した副画像を表す副画像データを連続して生成し、当該副画像データに続けて、１ページ目から前記最も高い優先順位が割り当てられたページの前ページまでについてページ番号が昇順となるように各ページの原画像を縮小した副画像を表す副画像データを連続して生成し、生成した副画像データを記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
【００１４】
また、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成する副画像生成記憶手段であって、前記原画像記憶手段に記憶されている各原画像データにおいて最も高い優先順位が割り当てられたページの原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データが生成された各原画像データにおいて最も高い優先順位が割り当てられたページを除くページの原画像を縮小した副画像を表す副画像を前記優先順位に従ってすべてのページが終了するまで各原画像データから１ページずつ生成して記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
【００１５】
また、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成し記憶する副画像生成記憶手段であって、前記原画像記憶手段に記憶されている原画像データの最も高い優先順位が割り当てられたページを縮小した副画像を表す副画像データを前記優先順位に従って前記表示領域に表示可能な個数分だけ生成して前記表示制御手段に供給した後に、前記原画像記憶手段に記憶されている複数の原画像データのうち、副画像データがまだ生成されていない予め決められた数の原画像データの各々において最も高い優先順位が割り当てられたページの原画像を縮小した副画像を表す副画像データを前記優先順位に従って生成して記憶し、さらに、前記表示制御手段に供給された副画像データに対応する原画像データにおいて最も高い優先順位が割り当てられたページ以外のページの原画像を縮小した副画像を表す副画像データを、前記優先順位に従うと共に、前記最も高い優先順位が割り当てられたページの次ページから最終ページまでについてページ番号が昇順となるように各ページの原画像を縮小した副画像を表す副画像データを連続して生成し、当該副画像データに続けて、１ページ目から前記最も高い優先順位が割り当てられたページの前ページまでについてページ番号が昇順となるように各ページの原画像を縮小した副画像を表す副画像データを連続して生成し、生成した副画像データを記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
【００１６】
また、本発明は、ページ単位に区分された原画像を表す原画像データを複数記憶する原画像記憶手段と、前記原画像記憶手段に記憶されている各原画像データが表す原画像に対して、表示の優先順位を割り当てる優先順位決定手段と、供給される画像データが表す画像を表示手段の表示領域に表示させる表示制御手段と、前記表示手段の表示内容を切り替える操作を受け付ける操作手段と、前記原画像データが表す原画像を縮小した副画像を表す副画像データを生成し記憶する副画像生成記憶手段であって、前記原画像記憶手段に記憶されている各原画像データにおいて最も高い優先順位が割り当てられたページの原画像を縮小した副画像を表す副画像データを前記優先順位に従って前記表示領域に表示可能な個数分だけ生成して前記表示制御手段に供給した後に、前記原画像記憶手段に記憶されている複数の原画像データのうち、対応する副画像データがまだ生成されていない予め決められた数の原画像データの各々において最も高い優先順位が割り当てられたページの原画像を縮小した副画像を表す副画像データを前記優先順位に従って生成して記憶し、さらに、前記表示制御手段に供給された副画像データに対応する原画像データにおいて最も高い優先順位が割り当てられたページの次ページから最終ページまでについてページ番号が昇順となるように各ページの原画像を縮小した副画像を表す副画像データを生成し、これらを生成し終えると、１ページ目から前記最も高い優先順位が割り当てられたページの前ページまでについてページ番号が昇順となるように各ページの原画像を縮小した副画像を表す副画像データを生成する処理を、前記優先順位に従って原画像データから１ページに対応する副画像データを生成するたびに原画像データを変更して行うことにより、前記副画像データを生成して記憶しておき、前記表示手段の表示内容を切り替える操作が前記操作手段によって受け付けられると、記憶している前記副画像データをその生成順に従って読み出して前記表示制御手段に供給する副画像生成記憶手段とを備えたことを特徴とする画像表示装置を提供する。
本発明によれば、割り当てられた優先順位の高い原画像データから先に、対応する副画像を生成して表示手段に表示するため、ユーザは所望の画像を発見しやすくすることができる。また、原画像データの各ページについて優先順位を設定して最優先ページについての副画像を生成することで、より重要度の高い副画像を表示することができる。
【発明を実施するための最良の形態】
【００１７】
本発明を実施するための最良の形態として、第１実施形態〜第１０実施形態を説明する。本発明において「副画像」とは、原画像データが表す原画像を縮小した画像であり、原画像と副画像とは１対１の対応関係にある。この副画像として、以下の各実施形態では、画像のサイズが原画像よりも小さく且つ原画像よりも低解像度の、いわゆる「サムネイル画像」を用いる。
【００１８】
（Ａ）実施形態の構成
まず最初に、第１実施形態から第１０実施形態において共通する内容について説明する。
図１は、実施形態に係る画像表示装置１の構成を示した図である。この画像表示装置１は、優先順位決定部１１と、副画像生成部１２と、ＣＰＵ（Central Processing Unit）１３と、原画像記憶部１４と、メモリコントローラ１５と、副画像記憶部１６と、表示制御部１７と、表示装置１８と、通信制御部１９と、操作部２０とを備えている。通信制御部１９はＬＡＮ（Local Area Network）やイントラネットなどのネットワーク２１に接続されている。ネットワーク２１には外部表示装置２２が接続されている。画像表示装置１は、スキャナ装置のような画像読取装置（図示略）や、プリンタ装置のような画像形成装置（図示略）などの複数の装置を備えた複合機に内蔵されている。
【００１９】
原画像記憶部１４は、ページ単位に区分された原画像を表す原画像データを多数記憶している。この原画像データは、図示しない画像読取装置によって読み取られた原稿の画像を表すファイル形式のデータである。原画像データは、必要に応じて原画像記憶部１４から読み出されて、表示制御部１７に供給されたり、図示せぬ画像形成装置に供給されたり、ネットワーク２１経由で図示せぬ外部装置に送信されたりする。副画像生成部１２は、原画像記憶部１４に記憶されている原画像データに基づいて、その原画像に対応する副画像を表す副画像データを生成する。生成された副画像データは副画像記憶部１６に記憶される。メモリコントローラ１５は、これら原画像記憶部１４や副画像記憶部１６に対するデータの読み書きを行う。メモリコントローラ１５によって副画像記憶部１６から読み出された副画像データがＣＰＵ１３の指示に従って表示制御部１７に供給されると、表示制御部１７は、その副画像データが表す副画像を表示装置１８に一覧形式で表示させる。ユーザは一覧表示された副画像のうち自身が所望するものを指定することで、その副画像に対応する原画像を表示装置１８にプレビュー表示させたり、その副画像に対応する原画像を画像形成装置によって記録紙に形成させたり、ネットワーク２１経由で図示せぬ外部装置に送信させたりすることができる。
【００２０】
表示装置１８の表示領域は比較的小さいため、一度に表示し得る副画像の個数には限界がある。そこで、画像表示装置１は、表示内容を切り替えるためのスクロールバーを表示装置１８に表示させておき、ユーザが操作部２０を用いて画面をスクロールするように指示すると、表示装置１８の最大表示個数を超える分の副画像を次々と表示させるようになっている。
【００２１】
原画像記憶部１４に記憶された原画像データが表す原画像に対しては、予め決められたアルゴリズムに従って、副画像の表示に関する優先順位が割り当てられている。この優先順位は、各々の原画像単位及び各原画像におけるページ単位で割り当てられている。ＣＰＵ１３は、原画像に割り当てられた優先順位に従って、各原画像に対応する副画像データを副画像記憶部１６から読み出させて表示制御部１７に供給するようにメモリコントローラ１５に指示する。優先順位が高い原画像に対応する副画像は最初に表示装置１８に表示されるからユーザは直ちにその副画像を参照することができる。一方、優先順位が低い原画像に対応する副画像はスクロール操作を繰り返さないと表示装置１８に表示されないので、ユーザがその副画像を参照するまでに時間も手間もかかることになる。
【００２２】
この優先順位を決めるアルゴリズムには、次のようなものがある。
例えば、画像を記録シートに形成する画像形成手段（例えばプリンタ装置）に対して通信制御部１９から原画像データを出力した回数又は頻度や、ＦＡＸや電子メール等の手段を用いて原画像データを通信制御部１９から電子送信した回数又は頻度を計数手段（カウンタ）で計数しておき、優先順位決定部１１がこの計数値に基づいて優先順位を決定するという方法がある。使用頻度乃至使用回数の多い原画像の優先順位を高く設定し、それらの原画像に対応する副画像をできるだけ早く表示装置１８に表示させることで、ユーザはその原画像を再使用しやすくなるので、作業効率を向上させることができる。なお、「回数」とは計数期間を定めない計数値であり、「頻度」とは或る計数期間（単位期間）における計数値である。
【００２３】
また、画像を記録シートに形成する画像形成手段に対して通信制御部１９から原画像データを出力した日時や、ＦＡＸや電子メール等の手段を用いて原画像データを通信制御部１９から電子送信した日時や、原画像データが表す原画像を液晶ディスプレイのような表示手段に表示させた日時や、原画像データをハードディスクのような記憶媒体に記憶させた日時を記憶手段に記憶しておく。優先順位決定部１１は、このような原画像データを使用した日時が新しいほど、その原画像の優先順位を高くする。ユーザが原画像を使用する場合には、一定期間継続して使用することが多いから、最近使用した原画像に対応する副画像をできるだけ早く表示装置１８に表示させるようにすれば、ユーザはその原画像を再使用しやすくなるので、作業効率を向上させることができる。
【００２４】
また、優先順位決定部１１が、原画像の内容そのものを所定のアルゴリズムに従って解析することで原画像の優先順位を決定する方法もある。例えば原画像データにセキュリティレベルの高いことを示す識別情報が含まれているような場合、優先順位決定部１１は、原画像データを解析してそのような識別情報を検出すると、その原画像の優先順位を低くする。このようにすれば、不特定多数のユーザに対して、セキュリティレベルの高い原画像に対応する副画像を閲覧させにくくすることができる。
【００２５】
また、原画像記憶部１４の記憶領域をユーザ毎に領域分割しておき、優先順位決定部１１が原画像の優先順位を、領域毎につまりユーザ毎に決めるようにしても良い。例えば、会社などの組織で画像表示装置１を使用する場合、役職が高いユーザが記憶・使用した原画像の優先順位を高くするようにしてもよいし、或いは、その画像表示装置１を使用する頻度が高いユーザが記憶・使用した原画像の優先順位を高くしてもよい。
【００２６】
また、前述したように、各々の原画像においては、各ページに対しても優先順位が決められている。ページ単位の優先順位を決定する最も基本的な方法は、優先順位を予め決めておく方法である。例えば１ページ目を最優先として、２ページ以降はページ番号昇順で優先順位を順次下げていくという方法がある。ただし、最優先のページは１ページ目に限らず、それ以外のページであってもよく、どのページを最優先にするかをユーザが自由に決めるようにしてもよい。また、最優先ページ以外のページは表示しないという方法もある。
【００２７】
優先順位決定部１１は、上述したようなアルゴリズムに従って原画像の優先順位を決定し、その優先順位をテーブル形式で記憶している。
ここで、図２は、優先順位決定部１１によって記憶されている管理テーブルの一例を示す図である。この図に示すように、管理テーブルにおいては、ファイル形式の各原画像データに割り当てられたファイル名Ａ，Ｂ，Ｃ，…と、その原画像データのページ構成と、各原画像の優先順位と、各原画像における最優先のページ数（ファイル内最優先ページ）とが対応付けられている。例えば、ファイル名「Ａ」の原画像データは３ページからなり、その原画像の優先順位は「１」位であり、その原画像における最優先のページは「２ページ目」であるといった具合である。
【００２８】
優先順位決定部１１は、上述したようなテーブル形式で、原画像データと優先順位とを対応付けて記憶してもよいし、割り当てた優先順位を原画像データのメタ情報（原画像データそのものの属性について記述したデータ）として当該原画像データに含めてもよい。  以上が各実施形態に共通の内容である。
【００２９】
（Ｂ）各実施形態の説明
（Ｂ−１）第１実施形態
次に第１実施形態について説明する。
図３は、第１実施形態において、表示装置１８に一覧形式で表示される副画像の例を示している。図では、表示装置１８に表示可能な副画像の最大個数Ｎ＝６としている。また、図中「Ａ１」とは、ファイル名「Ａ」の原画像データの１ページ目の原画像に対応する副画像の「１」ページ目であることを意味している。また図中「Ｂ」は、ファイル名「Ｂ」の原画像データに対応する副画像の１ページ目であることを意味しているが、上記「Ａ１」の「１」の表記がないのは、ファイル名「Ｂ」の原画像は総ページ数が１ページだからである。これ以外の、Ｃ，Ｄ１，Ｅ，Ｆ１、Ｇ１，Ｈ，Ｉ，Ｊ１，Ｋ，Ｌという表記も上記と同様である。このような表記の方法は、後述する第２実施形態から第１０実施形態においても同様である。
【００３０】
第１実施形態に係る画像表示装置１は、原画像記憶部１４に記憶された各々の原画像データにおける１ページ目についての副画像データを優先順位に従って生成する。よって、第１実施形態の場合、図２に示した管理テーブル上の「ファイル内最優先ページ」は不要である。ユーザが副画像を表示するように画像表示装置１に指示すると、表示装置１８に最初に表示されるのは、優先順位１位から優先順位６位の原画像における１ページ目についての副画像Ａ１，Ｂ，Ｃ，Ｄ１，Ｅ，Ｆ１である。画像表示装置１は、これらの副画像Ａ１，Ｂ，Ｃ，Ｄ１，Ｅ，Ｆ１を表示し終えると、直ちに、まだ表示されていない副画像を表す副画像データを原画像の優先順位に従って生成し、これを記憶しておく。つまり、図中のＧ１，Ｈ，Ｉ，Ｊ１，Ｋ，Ｌという順序で副画像データが生成されて記憶されることになる。このように、画像表示装置１は、優先順位が高い原画像に対応する副画像群を表示し終えると直ちに、それよりも優先順位が低い原画像に対応する副画像群の副画像データの生成処理を開始して、副画像データを用意しておくのである。このようにすれば、ユーザが図３に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００３１】
次に、第１実施形態における画像表示装置１の動作について説明する。
図４は、画像表示装置１が行う処理の過程を示したフローチャートである。図の説明において、表示装置１８に表示可能な副画像の最大個数をＮとし、管理テーブルの構成を図２（ファイル内最優先ページを除いたもの）に示した内容とする。
【００３２】
ユーザが操作部２０を用いて、副画像を表示するように指示すると、まず、優先順位決定部１１が、原画像記憶部１４に記憶されている全ての原画像データに対して優先順位を割り当て、それを管理テーブルに記述する（Ｓ１０１）。このとき優先順位決定部１１は、前述した各種のアルゴリズムのうちのいずれかを用いて優先順位を決定すればよい。
【００３３】
次に、画像表示装置１は管理テーブルに記述された優先順位に従って副画像データを生成する。まず、ＣＰＵ１３は副画像生成部１２に優先順位１位の原画像について副画像データを生成させるべく、変数ｉ（ｉ≦Ｎ，ｉ：自然数）に「１」を設定する（Ｓ１０２）。次に、副画像生成部１２は、割り当てられた優先順位１位の原画像における１ページ目を圧縮して、図３に示した副画像Ａ１を表す副画像データを生成し、表示制御部１７に供給する。表示制御部１７は、供給された副画像データに基づき副画像Ａ１を表示装置１８に表示させる（Ｓ１０３）。次に、ＣＰＵ１３は、最大個数Ｎの副画像データが生成されたか否かを判断する（Ｓ１０４）。図３の例の場合、Ｎ＝６、つまり表示制御部１７は６個の副画像を表示装置１８に表示させることが可能であるため、ＣＰＵ１３は、Ｎ個の副画像データが生成されていないと判断する（Ｓ１０４；Ｆ）。そして、ＣＰＵ１３は変数ｉ＝ｉ＋１とし（Ｓ１０５）、ステップＳ１０３の処理に戻る。この場合、変数ｉ＝２となるので、副画像生成部１２は、優先順位２位の原画像における１ページ目を圧縮して、図３に示した副画像Ｂを表す副画像データを生成し、表示制御部１７に供給する。表示制御部１７は、供給された副画像データに基づき副画像Ｂを表示装置１８に表示させる（Ｓ１０３）。
【００３４】
以上のような処理ステップＳ１０３〜Ｓ１０５が、Ｎ個の副画像が表示装置１８に表示されるまで繰り返される。Ｎ個の副画像が生成・表示されると（Ｓ１０４；Ｔ）、副画像データがまだ生成されていない原画像における１ページ目について副画像データを優先順位に従って生成する処理が開始される。まず、ＣＰＵ１３は、変数ｊ（ｊ＞Ｎ，ｊ：自然数）＝ｉ＋１とする（Ｓ１０６）。このときはＮ個の副画像の表示を終えた直後であるから、変数ｉ＝Ｎ（＝６）であり、変数ｊ＝７である。そして、副画像生成部１２は、優先順位７位の原画像における１ページ目を圧縮して、図３に示した副画像Ｇ１を表す副画像データを生成し、副画像記憶部１６に記憶させる（Ｓ１０７）。
【００３５】
次に、ＣＰＵ１３は、原画像記憶部１４に記憶された原画像データの全てについて副画像が生成・記憶されたか否かを判断する（Ｓ１０８）。図３の例の場合、１２個の原画像データが原画像記憶部１４に記憶されているのに対し、副画像生成部１２はまだ優先順位７位の原画像に対応する副画像データを生成する処理を終えただけであるから、ＣＰＵ１３は、全ての原画像データについて副画像データが生成されていないと判断する（Ｓ１０８；Ｆ）。そして、ＣＰＵ１３は変数ｊ＝ｊ＋１とし（Ｓ１０９）、ステップＳ１０７の処理に戻る。この場合、変数ｊ＝８となるので、副画像生成部１２は、優先順位８位の原画像における１ページ目を圧縮して、図３に示した副画像Ｈを表す副画像データを生成し、副画像記憶部１６に記憶させる。以上のような処理ステップＳ１０７〜Ｓ１０９が、全ての原画像データについて副画像を生成・記憶されるまで繰り返される。
【００３６】
このようにして、副画像Ａ１，Ｂ，Ｃ，Ｄ１，Ｅ，Ｆ１が表示装置１８に表示されている状態で、まだ表示されていない副画像Ｇ１，Ｈ，Ｉ，Ｊ１，Ｋ，Ｌを表す副画像データが順次生成されて副画像記憶部１６に記憶される。ユーザが図３に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６は優先順位７位から優先順位１２位まで原画像に対応する６個分の副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第１実施形態の説明である。
【００３７】
（Ｂ−２）次に第２実施形態について説明する。
図５は、第２実施形態において、表示装置１８に一覧形式で表示される副画像の例を示している。図では、表示装置１８に表示可能な副画像の最大個数Ｎ＝６としている。
【００３８】
第２実施形態に係る画像表示装置１は、原画像記憶部１４に記憶された各々の原画像データにおける１ページ目についての副画像を表す副画像データを優先順位に従って生成する。よって、第２実施形態の場合、図２に示した管理テーブル上の「ファイル内最優先ページ」は不要である。ユーザが副画像を表示するように画像表示装置１に指示すると、表示装置１８に最初に表示されるのは、優先順位１位から優先順位６位の原画像における１ページ目についての副画像Ａ１，Ｂ，Ｃ，Ｄ１，Ｅ，Ｆ１である。画像表示装置１は、これらの副画像Ａ１，Ｂ，Ｃ，Ｄ１，Ｅ，Ｆ１を表示し終えると、直ちに、まだ表示されていない副画像を表す副画像データを優先順位に従って生成し、これを記憶しておく。第２実施形態では、画像表示装置１は表示装置１８に最初に表示した副画像に対応する原画像データの２ページ目以降のページについて優先順位に従って、各原画像データにおけるページ順に従って連続して副画像データを生成する。つまり、図中のＡ２，Ａ３，Ｄ２，Ｄ３，Ｄ４，Ｄ５，Ｆ２，Ｆ３，Ｆ４という順序で副画像データが生成されて記憶されることになる。このように、画像表示装置１は優先順位が高い原画像に対応する副画像群を表示し終えると直ちに、この副画像群に対応する原画像データの２ページ目以降の原画像について副画像データの生成処理を開始して、副画像データを用意しておくのである。このようにすれば、ユーザが図５に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００３９】
次に、第２実施形態における画像表示装置１の動作について説明する。
図６は、画像表示装置１が行う処理の過程を示したフローチャートである。図の説明において、表示装置１８に表示可能な副画像の最大個数をＮとし、管理テーブルの構成を図２（ファイル内最優先ページを除いたもの）に示した内容とする。
【００４０】
ユーザが操作部２０を用いて、副画像を表示するように指示すると、まず、優先順位決定部１１が、原画像記憶部１４に記憶されている全ての原画像データに対して優先順位を割り当て、それを管理テーブルに記述する（Ｓ２０１）。このとき優先順位決定部１１は、前述した各種のアルゴリズムのうちのいずれかを用いて優先順位を決定すればよい。
【００４１】
次に、画像表示装置１は管理テーブルに記述された優先順位に従って副画像データを生成する。まず、ＣＰＵ１３は副画像生成部１２に優先順位１位の原画像における１ページ目の副画像データを、変数ｉ（ｉ≦Ｎ，ｉ：自然数）に「１」を設定する（Ｓ２０２）。次に、副画像生成部１２は、割り当てられた優先順位１位の原画像における１ページ目を圧縮して、図５に示した副画像Ａ１を表す副画像データを生成し、表示制御部１７に供給する。表示制御部１７は、供給された副画像データに基づき副画像Ａ１を表示装置１８に表示させる（Ｓ２０３）。次に、ＣＰＵ１３は、最大個数Ｎの副画像データが生成されたか否かを判断する（Ｓ２０４）。図５の例の場合、Ｎ＝６、つまり表示制御部１７は６個の副画像を表示装置１８に表示させることが可能であるため、ＣＰＵ１３は、Ｎ個の副画像データが生成されていないと判断する（Ｓ２０４；Ｆ）。そして、ＣＰＵ１３は変数ｉ＝ｉ＋１とし（Ｓ２０５）、ステップＳ２０３の処理に戻る。この場合、変数ｉ＝２となるので、副画像生成部１２は、優先順位２位の原画像における１ページ目を圧縮して、図５に示した副画像Ｂを表す副画像データを生成し、表示制御部１７に供給する。表示制御部１７は、供給された副画像データに基づき副画像Ｂを表示装置１８に表示させる（Ｓ２０３）。
【００４２】
以上のような処理ステップＳ２０３〜Ｓ２０５が、Ｎ個の副画像が表示装置１８に表示されるまで繰り返される。Ｎ個の副画像が生成・表示されると（Ｓ２０４；Ｔ）、ステップＳ２０３で副画像データを生成した原画像データの２ページ目以降についての副画像データを優先順位に従って生成する処理が開始される。まず、ＣＰＵ１３は、変数ｉ＝１とし（Ｓ２０６）、変数ｊ（ｊ＞Ｎ，ｊ：自然数）＝２とする（Ｓ２０７）。そして、副画像生成部１２は、優先順位１位の原画像における２ページ目を圧縮して、図５に示した副画像Ａ２を表す副画像データを生成し、副画像記憶部１６に記憶させる（Ｓ２０８）。
【００４３】
次に、ＣＰＵ１３は、原画像記憶部１４に記憶された優先順位ｉ位の原画像における全てのページについての副画像データが生成・記憶されたか否かを判断する（Ｓ２０９）。図５の例の場合、優先順位１位の原画像におけるページ構成は３ページであるのに対し、副画像生成部１２は、まだ２ページ目について副画像データを生成する処理を終えただけであるから、ＣＰＵ１３は、優先順位１位の原画像における全てのページについて副画像データが生成されていないと判断する（Ｓ２０９；Ｆ）。そして、ＣＰＵ１３は変数ｊ＝ｊ＋１とし（Ｓ２１０）、ステップＳ２０８の処理に戻る。この場合、変数ｊ＝３となるので、副画像生成部１２は、優先順位１位の原画像における３ページ目を圧縮して、図５に示した副画像Ａ３を表す副画像データを生成し、副画像記憶部１６に記憶させる。以上のような処理ステップＳ２０８〜Ｓ２１０が、優先順位ｉ位の原画像における全てのページについて副画像データを生成・記憶されるまで繰り返される（Ｓ２１１）。図５の例の場合、表示装置１８に表示される最大個数は６個であるため、副画像生成部１２はまだ優先順位１位の原画像に対応する副画像データを生成する処理を終えただけであるから、変数ｉ＝１であり、ＣＰＵ１３は、最大個数Ｎに等しくないと判断する（Ｓ２１１；Ｆ）。そして、ＣＰＵ１３は変数ｉ＝ｉ＋１とし（Ｓ２１２）、ステップＳ２０７の処理に戻る。この場合、変数ｉ＝２となるので、ＣＰＵ１３は優先順位２位の原画像に対応する副画像データを生成させるために、処理ステップＳ２０７〜Ｓ２１２を実行し、優先順位Ｎ位までの原画像の全てのページについて副画像データが生成されるまでこの処理ステップが繰り返される。
【００４４】
このようにして、副画像Ａ１，Ｂ，Ｃ，Ｄ１，Ｅ，Ｆ１が表示装置１８に表示されている状態で、まだ表示されていない副画像Ａ２，Ａ３，Ｄ２，Ｄ３，Ｄ４，Ｄ５，Ｆ２，Ｆ３，Ｆ４を表す副画像データが順次生成されて副画像記憶部１６に記憶される。ユーザが図５に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６がまだ表示されていない副画像が表す副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第２実施形態の説明である。
【００４５】
（Ｂ−３）次に第３実施形態について説明する。
図７は、第３実施形態において、表示装置１８に一覧形式で表示される副画像の例を示している。図では、表示装置１８に表示可能な副画像の最大個数Ｎ＝６としている。
【００４６】
第３実施形態に係る画像表示装置１は、原画像記憶部１４に記憶された各々の原画像データにおける１ページ目についての副画像を表す副画像データを優先順位に従って生成する。よって、第３実施形態の場合、図２に示した管理テーブル上の「ファイル内最優先ページ」は不要である。ユーザが副画像を表示するように画像表示装置１に指示すると、表示装置１８に最初に表示されるのは、優先順位１位から優先順位６位の原画像における１ページ目についての副画像Ａ１，Ｂ，Ｃ，Ｄ１，Ｅ，Ｆ１である。画像表示装置１は、これらの副画像Ａ１，Ｂ，Ｃ，Ｄ１，Ｅ，Ｆ１を表示し終えると、直ちに、まだ表示されていない副画像を表す副画像データを優先順位に従って生成し、これを記憶しておく。第３実施形態では、画像表示装置１は表示装置１８に最初に表示した副画像に対応する原画像データの２ページ目以降のページについて、優先順位に従って各原画像データから１ページずつ、且つ、各原画像データにおけるページ順に従って、副画像データを生成する。つまり、図中のＡ２，Ｄ２，Ｆ２，Ａ３，Ｄ３，Ｆ３，Ｄ４，Ｆ４，Ｄ５という順序で副画像データが生成されて記憶されることになる。このように、画像表示装置１は優先順位が高い原画像に対応する副画像群を表示し終えると直ちに、この副画像群に対応する原画像データの２ページ目以降のページについての副画像データの生成処理を開始して、副画像データを用意しておくのである。このようにすれば、ユーザが図７に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００４７】
次に、第３実施形態における画像表示装置１の動作について説明する。
図８は、画像表示装置１が行う処理の過程を示したフローチャートである。図の説明において、表示装置１８に表示可能な副画像の最大個数をＮとし、管理テーブルの構成を図２（ファイル内最優先ページを除いたもの）に示した内容とする。
【００４８】
ユーザが操作部２０を用いて、副画像を表示するように指示すると、まず、優先順位決定部１１が、原画像記憶部１４に記憶されている全ての原画像データに対して優先順位を割り当て、それを管理テーブルに記述する（Ｓ３０１）。このとき優先順位決定部１１は、前述した各種のアルゴリズムのうちのいずれかを用いて優先順位を決定すればよい。
【００４９】
次に、画像表示装置１は管理テーブルに記述された優先順位に従って副画像データを生成する。まず、ＣＰＵ１３は副画像生成部１２に優先順位１位の原画像に対応する副画像データを生成させるべく、変数ｉ（ｉ≦Ｎ，ｉ：自然数）に「１」を設定する（Ｓ３０２）。次に、副画像生成部１２は、設定された優先順位１位の原画像における１ページ目を圧縮して、図７に示した副画像Ａ１を表す副画像データを生成し、表示制御部１７に供給する。表示制御部１７は、供給された副画像データに基づき副画像Ａ１を表示装置１８に表示させる（Ｓ３０３）。次に、ＣＰＵ１３は、最大個数Ｎの副画像データを生成したか否かを判断する（Ｓ３０４）。図７の例の場合、Ｎ＝６、つまり表示制御部１７は６個の副画像を表示装置１８に表示させることが可能であるため、ＣＰＵ１３は、Ｎ個の副画像データが生成されていないと判断する（Ｓ３０４；Ｆ）。そして、ＣＰＵ１３は変数ｉ＝ｉ＋１とし（Ｓ３０５）、ステップＳ３０３の処理に戻る。この場合、変数ｉ＝２となるので、副画像生成部１２は、優先順位２位の原画像における１ページ目を圧縮して、図７に示した副画像Ｂを表す副画像データを生成し、表示制御部１７に供給する。表示制御部１７は、供給された副画像データに基づき副画像Ｂを表示装置１８に表示させる（Ｓ３０３）。
【００５０】
以上のような処理ステップＳ３０３〜Ｓ３０５が、Ｎ個の副画像が表示装置１８に表示されるまで繰り返される。Ｎ個の副画像が生成・表示されると（Ｓ３０４；Ｔ）、Ｓ３０３で副画像データを生成した原画像データの２ページ目以降についての副画像データを優先順位に従って生成する処理が開始される。まず、ＣＰＵ１３は、変数ｊ（ｊ＞Ｎ，ｊ：自然数）＝２とする（Ｓ３０６）。次に、ＣＰＵ１３は変数ｉ＝１とする（Ｓ３０７）。そして、ＣＰＵ１３は、優先順位ｉ位の原画像における最終ページについての副画像データが生成されたか否かを判断する。図７の例の場合、優先順位１位の原画像を表す原画像データのページ構成は３ページであるのに対し、変数ｊ＝２、つまり、まだ２ページ目についての副画像データも生成されていない段階であるため、ＣＰＵ１３は、優先順位１位の原画像における最終ページについての副画像データは生成されていないと判断する（Ｓ３０８；Ｆ）。次に、ＣＰＵ１３は、優先順位１位の原画像における２ページ目について副画像を生成・記憶させる（Ｓ３０９）。そして、ＣＰＵ１３は変数ｉ＝ｉ＋１とし（Ｓ３１０）、変数ｉが最大個数Ｎに等しいか否かを判断する（Ｓ３１１）。図７の例の場合、最大個数Ｎ＝６に対し、変数ｉ＝２であるから、副画像生成部１２は優先順位２位の原画像における２ページ目について副画像を生成する処理を終えただけであるから、ＣＰＵ１３は変数ｉ＝２であるため、変数ｉが最大個数Ｎに等しくないと判断する（Ｓ３１１；Ｆ）。そして、ＣＰＵ１３はステップＳ３０８に戻る。そして、処理ステップ３０８〜Ｓ３１１を繰り返して、優先順位Ｎ位の原画像における２ページ目について副画像データを生成させると（Ｓ３１１；Ｔ）、優先順位Ｎ位までの原画像における全てのページについて副画像データが生成されたか否かを判断する（Ｓ３１２）。図７の例の場合、まだ優先順位１位から優先順位６位までの原画像における２ページ目について副画像データが生成されただけであるから、ＣＰＵ１３は、優先順位Ｎ位までの原画像における全てのページについて副画像データが生成されていないと判断する（Ｓ３１３；ＮＯ）。そして、ＣＰＵ１３は変数ｊ＝ｊ＋１とし（Ｓ３１４）、ステップＳ３０７の処理に戻る。図７の例の場合、Ｓ３０７に戻ると、副画像生成部１２は各々の原画像データの３ページ目について副画像データを生成する処理を行い、以下全ての原画像における最終ページについて副画像データを生成するまで処理ステップＳ３０７〜Ｓ３１３が繰り返される。
【００５１】
このようにして、副画像Ａ１，Ｂ，Ｃ，Ｄ１，Ｅ，Ｆ１が表示装置１８に表示されている状態で、まだ表示されていない副画像Ａ２，Ｄ２，Ｆ２，Ａ３，Ｄ３，Ｆ３，Ｄ４，Ｆ４，Ｄ５を表す副画像データが順次生成されて副画像記憶部１６に記憶される。ユーザが図７に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、まだ表示されていない副画像が表す副画像データを副画像記憶部１６が記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第３実施形態の説明である。
【００５２】
（Ｂ−４）第４実施形態
次に第４実施形態について説明する。
図９は、第４実施形態において、表示装置１８に一覧形式で表示される副画像の例を示している。図では、表示装置１８に表示可能な副画像の最大個数Ｎ＝６としている。
【００５３】
第４実施形態に係る画像表示装置１は、原画像記憶部１４に記憶された各々の原画像データにおける１ページ目の副画像を表す副画像データを優先順位に従って生成する。よって、第４実施形態の場合、図２に示した管理テーブル上の「ファイル内最優先ページ」は不要である。ユーザが副画像を表示するように画像表示装置１に指示すると、表示装置１８に最初に表示されるのは、優先順位１位から優先順位６位の原画像における１ページ目についての副画像Ａ１，Ｂ，Ｃ，Ｄ１，Ｅ，Ｆ１である。画像表示装置１は、これらの副画像Ａ１，Ｂ，Ｃ，Ｄ１，Ｅ，Ｆ１を表示し終えると、直ちに、まだ表示されていない副画像を表す副画像データを優先順位に従って生成し、これを記憶しておく。第４実施形態では、優先順位に従って画像表示装置１は優先順位Ｎ＋１位から優先順位Ｎ＋Ｍ位までの原画像における１ページ目について副画像データを生成して、表示装置１８に最初に表示した副画像に対応する原画像データの２ページ目以降のページについて優先順位に従って、各原画像データにおけるページ順に従って連続して副画像データを生成する。なお、予め決められた個数Ｍはユーザの操作により設定することが可能であり、前記で示した表示装置１８に表示される副画像を表す副画像データに続いて生成することになる。図９の例では、個数Ｍ＝３としており、図中の副画像Ｇ１，Ｈ，Ｉが生成される。そして図中のＡ２，Ａ３，Ｄ２，Ｄ３，Ｄ４，Ｄ５，Ｆ２，Ｆ３，Ｆ４という順序で副画像データが生成・記憶されることになる。このように、画像表示装置１は優先順位が高い副画像群を表示し終えると直ちに、個数Ｍの副画像データ及び表示装置１８に表示させた副画像群に対応する原画像データにおける２ページ目以降について副画像データの生成処理を開始して、副画像データを用意しておくのである。このようにすれば、ユーザが図９に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００５４】
次に、第４実施形態における画像表示装置１の動作について説明する。
図１０は、画像表示装置１が行う処理の過程を示したフローチャートである。図の説明において、表示装置１８に表示可能な副画像の最大個数をＮとし、管理テーブルの構成を図２（ファイル内最優先ページを除いたもの）に示した内容とする。
【００５５】
ユーザが操作部２０を用いて、副画像を表示するように指示すると、まず、優先順位決定部１１が、原画像記憶部１４に記憶されている全ての原画像データに対して優先順位を割り当て、それを管理テーブルに記述する（Ｓ４０１）。このとき優先順位決定部１１は、前述した各種のアルゴリズムのうちのいずれかを用いて優先順位を決定すればよい。
【００５６】
次に、画像表示装置１は管理テーブルに記述された優先順位に従って副画像データを生成する。まず、ＣＰＵ１３は副画像生成部１２に優先順位１位の原画像について副画像データ生成させるべく、変数ｉ（ｉ≦Ｎ，ｉ：自然数）に「１」を設定する（Ｓ４０２）。次に、副画像生成部１２は、割り当てられた優先順位１位の原画像における１ページ目を圧縮して、図９に示した副画像Ａ１を表す副画像データを生成し、表示制御部１７に供給する。表示制御部１７は、供給された副画像データに基づき副画像Ａ１を表示装置１８に表示させる（Ｓ４０３）。次に、ＣＰＵ１３は、最大個数Ｎの副画像データを生成したか否かを判断する（Ｓ４０４）。図９の例の場合、Ｎ＝６、つまり表示制御部１７は６個の副画像を表示装置１８に表示させることが可能であるため、ＣＰＵ１３は、Ｎ個の副画像データを生成していないと判断する（Ｓ４０４；Ｆ）。そして、ＣＰＵ１３は変数ｉ＝ｉ＋１とし（Ｓ４０５）、ステップＳ４０３の処理に戻る。この場合、変数ｉ＝２となるので、副画像生成部１２は、優先順位２位の原画像における１ページ目を圧縮して、図９に示した副画像Ｂを表す副画像データを生成し、表示制御部１７に供給する。表示制御部１７は、供給された副画像データに基づき副画像Ｂを表示装置１８に表示させる（Ｓ４０３）。
【００５７】
以上のような処理ステップＳ４０３〜Ｓ４０５が、Ｎ個の副画像が表示装置１８に表示されるまで繰り返される。Ｎ個の副画像が生成・表示されると（Ｓ４０４；Ｔ）、副画像データがまだ生成されていない原画像データにおける１ページ目について、Ｍ個の副画像データを優先順位に従って生成する処理が開始される。まず、ＣＰＵ１３は、変数ｉ＝ｉ＋１とする（Ｓ４０６）。このときはＮ個の副画像の生成・表示を終えた直後であるから、変数ｉ＝７となる。そして、副画像生成部１２は、優先順位７位の原画像における１ページ目を圧縮して、図９に示した副画像Ｇ１を表す副画像データを生成し、副画像記憶部１６に記憶させる（Ｓ４０７）。次に、ＣＰＵ１３は、優先順位Ｎ＋Ｍ位の原画像における１ページ目について副画像データが生成されたか否かを判断する（Ｓ４０８）。ここでは、個数Ｍ＝３としており、Ｎ＋Ｍ＝９となるから、副画像生成部１２はまだ優先順位７位の原画像における１ページ目についての副画像しか生成していないため、ＣＰＵ１３は優先順位９位の原画像に対応する副画像データが生成されていないと判断する（Ｓ４０８；Ｆ）。そして、ＣＰＵ１３は変数ｉ＝ｉ＋１とし（Ｓ４０９）、ステップＳ４０７の処理に戻る。この場合、変数ｉ＝８となるので、副画像生成部１２は、優先順位８位の原画像における１ページ目を圧縮して、図９に示した副画像Ｈを表す副画像データを生成し、副画像記憶部１６に記憶させる。以上のような処理ステップＳ４０７〜Ｓ４０９が、優先順位Ｎ＋Ｍ位の原画像における１ページ目について副画像データが生成・記憶されるまで繰り返される。優先順位Ｎ＋Ｍ位の原画像における１ページ目についての副画像データが生成されると（Ｓ４０８；Ｔ）、ステップＳ４０３で副画像データを生成した原画像データの２ページ目以降の副画像を優先順位に従って生成する処理が開始される。
【００５８】
まず、ＣＰＵ１３は、変数ｉ＝１とする（Ｓ４１０）。次に、ＣＰＵ１３は変数ｊ＝２とする（Ｓ４１１）。そして、副画像生成部１２は、優先順位１位の原画像における２ページ目を圧縮して、図９に示した副画像Ａ２を表す副画像データを生成し、副画像記憶部１６に記憶させる（Ｓ４１２）。次に、ＣＰＵ１３は、原画像記憶部１４に記憶された優先順位ｉ位の原画像における全てのページについて副画像データが生成・記憶されたか否かを判断する（Ｓ４１３）。図９の例の場合、優先順位１位の原画像が表す原画像データのページ構成は３ページであるのに対し、副画像生成部１２はまだ２ページ目について副画像データを生成する処理を終えただけであるから、ＣＰＵ１３は、優先順位１位の原画像における全てのページについて副画像データが生成されていないと判断する（Ｓ４１３；Ｆ）。そして、ＣＰＵ１３は変数ｊ＝ｊ＋１とし（Ｓ４１４）、ステップＳ４１２の処理に戻る。この場合、変数ｊ＝３となるので、副画像生成部１２は、優先順位１位の原画像における３ページ目を圧縮して、図９に示した副画像Ａ３を表す副画像データを生成し、副画像記憶部１６に記憶させる。以上のような処理ステップＳ４１２〜Ｓ４１４が、優先順位ｉ位の原画像における全てのページについて副画像データが生成・記憶されるまで繰り返される。次に、ＣＰＵ１３は、変数ｉが最大個数Ｎに等しいか否かを判断する（Ｓ４１５）。図９の例の場合、最大個数は６個であるため、副画像生成部１２はまだ優先順位１位の原画像に対応する副画像データを生成する処理を終えただけであるから、ＣＰＵ１３は、変数ｉ＝１であり、表示装置１８に表示される最大個数Ｎに等しくないと判断する（Ｓ４１５；Ｆ）。そして、ＣＰＵ１３は変数ｉ＝ｉ＋１とし（Ｓ４１６）、ステップ４１１の処理に戻る。この場合、変数ｉ＝２となるので、優先順位２位の原画像に対応する副画像データを生成させるために、処理ステップＳ４１２〜Ｓ４１６を実行し、優先順位Ｎ位の原画像における全てのページについて副画像データを生成するまでこの処理ステップが繰り返される。
【００５９】
このようにして、副画像Ａ１，Ｂ，Ｃ，Ｄ１，Ｅ，Ｆ１が表示装置１８に表示されている状態で、まだ表示されていない副画像Ｇ１，Ｈ，Ｉ，Ａ２，Ａ３，Ｄ２，Ｄ３，Ｄ４，Ｄ５，Ｆ２，Ｆ３，Ｆ４を表す副画像データが順次生成されて副画像記憶部１６に記憶される。ユーザが図９に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６がまだ表示されていない副画像が表す副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第４実施形態の説明である。
【００６０】
（Ｂ−５）第５実施形態
次に第５実施形態について説明する。
図１１は、第５実施形態において、表示装置１８に一覧形式で表示される副画像の例を示している。図では、表示装置１８に表示可能な副画像の最大個数Ｎ＝６としている。
【００６１】
第５実施形態に係る画像表示装置１は、原画像記憶部１４に記憶された各々の原画像における１ページ目についての副画像を表す副画像データを優先順位に従って生成する。よって、第５実施形態の場合、図２に示した管理テーブル上の「ファイル内最優先ページ」は不要である。ユーザが副画像を表示するように画像表示装置１に指示すると、表示装置１８に最初に表示されるのは、優先順位１位から優先順位６位の原画像における１ページ目についての副画像Ａ１，Ｂ，Ｃ，Ｄ１，Ｅ，Ｆ１である。画像表示装置１は、これらの副画像Ａ１，Ｂ，Ｃ，Ｄ１，Ｅ，Ｆ１を表示し終えると、直ちに、まだ表示されていない副画像を表す副画像データを優先順位に従って生成し、これを記憶しておく。第５実施形態では、画像表示装置１は優先順位に従って、優先順位Ｎ＋１位から優先順位Ｎ＋Ｍ位までの原画像における１ページ目について副画像データを生成し、表示装置１８に最初に表示した副画像に対応する原画像データにおける２ページ目以降の原画像について各原画像データから１ページずつ、且つ、各原画像データにおけるページ順に従って、副画像データを生成する。なお、予め設定された個数Ｍはユーザの操作により設定することが可能であり、前記で示した表示装置１８に表示される副画像が表す副画像データに続いて生成されることになる。図１１の例では、個数Ｍ＝３としており、図中の副画像Ｇ１，Ｈ，Ｉが生成される。そして図中のＡ２，Ｄ２，Ｆ２，Ａ３，Ｄ３，Ｆ３，Ｄ４，Ｆ４，Ｄ５という順序で副画像データが生成されて記憶されることになる。このように、優先順位が高い原画像に対応する副画像群を表示し終えると直ちに、個数Ｍの副画像データ及び表示装置１８に表示された副画像群に対応する原画像データにおける２ページ目以降の原画像についての副画像データの生成処理を開始して、副画像データを用意しておくのである。このようにすれば、ユーザが図１１に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００６２】
次に、第５実施形態における画像表示装置１の動作について説明する。
図１２は、画像表示装置１が行う処理の過程を示したフローチャートである。図の説明において、表示装置１８に表示可能な副画像の最大個数をＮとし、管理テーブルの構成を図２（ファイル内最優先ページを除いたもの）に示した内容とする。
【００６３】
ユーザが操作部２０を用いて、副画像を表示するように指示すると、まず、優先順位決定部１１が、原画像記憶部１４に記憶されている全ての原画像データに対して優先順位を割り当て、それを管理テーブルに記述する（Ｓ５０１）。このとき優先順位決定部１１は、前述した各種のアルゴリズムのうちのいずれかを用いて優先順位を決定すればよい。
【００６４】
次に、画像表示装置１は管理テーブルに記述された優先順位に従って副画像データを生成する。まず、ＣＰＵ１３は副画像生成部１２に優先順位１位の原画像に対応する副画像データを生成させるべく、変数ｉ（ｉ≦Ｎ，ｉ：自然数）に「１」を設定する（Ｓ５０２）。次に、副画像生成部１２は、割り当てられた優先順位１位の原画像における１ページ目を圧縮して、図１１に示した副画像Ａ１を表す副画像データを生成し、表示制御部１７に供給する。表示制御部１７は、供給された副画像データに基づき副画像Ａ１を表示装置１８に表示させる（Ｓ５０３）。次に、ＣＰＵ１３は、最大個数Ｎの副画像データが生成されたか否かを判断する（Ｓ５０４）。図１１の例の場合、Ｎ＝６、つまり表示制御部１７は６個の副画像を表示装置１８に表示させることが可能であるため、ＣＰＵ１３は、Ｎ個の副画像データが生成されていないと判断する（Ｓ５０４；Ｆ）。そして、ＣＰＵ１３は変数ｉ＝ｉ＋１とし（Ｓ５０５）、ステップＳ５０３の処理に戻る。この場合、変数ｉ＝２となるので、副画像生成部１２は、優先順位２位の原画像における１ページ目を圧縮して、図１１に示した副画像Ｂを表す副画像データを生成し、表示制御部１７に供給する。表示制御部１７は、供給された副画像データに基づき副画像Ｂを表示装置１８に表示させる（Ｓ５０３）。
【００６５】
以上のような処理ステップＳ５０３〜Ｓ５０５が、Ｎ個の副画像が表示装置１８に表示されるまで繰り返される。Ｎ個の副画像が生成・表示されると（Ｓ５０４；Ｔ）、副画像データがまだ生成されていない原画像データにおける１ページ目について、Ｍ個の副画像データを優先順位に従って生成する処理が開始される。まず、ＣＰＵ１３は、変数ｉ＝ｉ＋１とする（Ｓ５０６）。このときはＮ個の副画像の生成・表示を終えた直後であるから、変数ｉ＝７となる。そして、副画像生成部１２は、優先順位７位の原画像における１ページ目を圧縮して、図１１に示した副画像Ｇ１を表す副画像データを生成し、副画像記憶部１６に記憶させる（Ｓ５０７）。次に、ＣＰＵ１３は、優先順位Ｎ＋Ｍ位の原画像における１ページ目について副画像データが生成されたか否かを判断する（Ｓ５０８）。ここでは、個数Ｍ＝３としており、Ｎ＋Ｍ＝９となるから、副画像生成部１２は優先順位７位の原画像における１ページ目についての副画像データしか生成していないため、ＣＰＵ１３は優先順位９位の原画像に対応する副画像データが生成されていないと判断する（Ｓ５０８；Ｆ）。そして、ＣＰＵ１３は変数ｉ＝ｉ＋１とし（Ｓ５０９）、ステップＳ５０７の処理に戻る。この場合、変数ｉ＝８となるので、副画像生成部１２は、優先順位８位の原画像における１ページ目を圧縮して、図１１に示した副画像Ｈを表す副画像データを生成し、副画像記憶部１６に記憶させる。以上のような処理ステップＳ５０７〜Ｓ５０９が、優先順位Ｎ＋Ｍ位の原画像における１ページ目について副画像データを生成・記憶されるまで繰り返される。副画像生成部１２が優先順位Ｎ＋Ｍ位の原画像における１ページ目について副画像データを生成すると（Ｓ５０８；Ｔ）、ステップＳ５０３で副画像データを生成した原画像データにおける２ページ目以降についての副画像データを優先順位に従って生成する処理が開始される。
【００６６】
まず、ＣＰＵ１３は、変数ｊ（ｊ＞Ｎ，ｊ：自然数）＝２とする（Ｓ５１０）。次に、ＣＰＵ１３は変数ｉ＝１とする（Ｓ５１１）。そして、ＣＰＵ１３は、優先順位ｉ位の原画像における最終ページについて副画像データが生成されたか否かを判断する（Ｓ５１２）。図１１の例の場合、優先順位１位の原画像が表す原画像データのページ構成は３ページであるのに対し、まだ、変数ｊ＝２、つまり、副画像生成部１２は２ページ目についての副画像データも生成していない段階であるため、ＣＰＵ１３は、優先順位１位の原画像における最終ページについて副画像データが生成されていないと判断する（Ｓ５１２；Ｆ）。次に、ＣＰＵ１３は、優先順位１位の原画像における２ページ目について副画像データを生成・記憶する（Ｓ５１３）。そして、ＣＰＵ１３は変数ｉ＝ｉ＋１とし（Ｓ５１４）、変数ｉが表示装置１８に表示される最大個数Ｎに等しいか否かを判断する（Ｓ５１５）。図１１の例の場合、最大個数Ｎ＝６に対して変数ｉ＝２であるのに対し、副画像生成部１２は優先順位２位の原画像における２ページ目について副画像データを生成する処理を終えただけであるから、ＣＰＵ１３は変数ｉが最大個数Ｎに等しくないと判断する（Ｓ５１５；Ｆ）。そして、ＣＰＵ１３はステップＳ５１２に戻り、処理ステップＳ５１２〜Ｓ５１５を繰り返して、副画像生成部１２が優先順位Ｎ位の原画像に対応する副画像データを生成すると（Ｓ５１５；Ｔ）、ＣＰＵ１３は優先順位Ｎ位までの原画像における全てのページについて副画像データが生成されたか否かを判断する（Ｓ５１６）。図１１の例の場合、副画像生成部１２はまだ優先順位１位から優先順位６位までの原画像データにおける２ページ目について副画像データを生成しただけであるから、ＣＰＵ１３は優先順位Ｎ位の原画像における全てのページについての副画像データが生成されていないと判断する（Ｓ５１６；ＮＯ）。そして、ＣＰＵ１３は変数ｊ＝ｊ＋１とし（Ｓ５１７）、ステップＳ５１１の処理に戻る。図１１の例の場合、Ｓ５０８に戻ると、副画像生成部１２は優先順位１位の原画像における３ページ目について副画像データを生成する処理を行い、以降全ての原画像データの最終ページについて副画像データを生成するまで処理ステップＳ５１１〜Ｓ５１７を繰り返す。
【００６７】
このようにして、副画像Ａ１，Ｂ，Ｃ，Ｄ１，Ｅ，Ｆ１が表示装置１８に表示されている状態で、まだ表示されていない副画像Ｇ１，Ｈ，Ｉ，Ａ２，Ｄ２，Ｆ２，Ａ３，Ｄ３，Ｆ３，Ｄ４，Ｆ４，Ｄ５を表す副画像データが順次生成されて副画像記憶部１６に記憶される。ユーザが図１１に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６がまだ表示されていない副画像が表す副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第５実施形態の説明である。
【００６８】
（Ｂ−６）第６実施形態
次に第６実施形態について説明する。
図１３は、第６実施形態において、表示装置１８に一覧形式で表示される副画像の例を示している。図では、表示装置１８に表示可能な副画像の最大個数Ｎ＝６としている。
【００６９】
第６実施形態に係る画像表示装置１は、原画像記憶部１４に記憶された副画像におけるページの最も優先順位の高いページ（以下、最優先ページ）についての副画像を表す副画像データを優先順位に従って生成する。ユーザが副画像を表示するように画像表示装置１に指示すると、表示装置１８に最初に表示されるのは、優先順位１位から優先順位６位の原画像における最優先ページについての副画像Ａ２，Ｂ，Ｃ，Ｄ３，Ｅ，Ｆ２である。画像表示装置１は、これらの副画像Ａ２，Ｂ，Ｃ，Ｄ３，Ｅ，Ｆ２を表示し終えると、直ちに、まだ表示されていない副画像を表す副画像データを優先順位に従って生成し、これを記憶しておく。つまり、図中のＧ１，Ｈ，Ｉ，Ｊ３，Ｋ，Ｌという順序で副画像データが生成されて記憶されることになる。このように、画像表示装置１は優先順位が高い原画像に対応する副画像群を表示し終えると直ちに、それよりも優先順位が低い原画像に対応する副画像群の副画像データの生成処理を開始して、副画像データを用意しておくのである。このようにすれば、ユーザが図１３に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００７０】
次に、第６実施形態における画像表示装置１の動作について説明する。
図１４は、画像表示装置１が行う処理の過程を示したフローチャートである。図の説明において、表示装置１８に表示可能な副画像の最大個数をＮとし、管理テーブルの構成を図２に示した内容とする。
【００７１】
ユーザが操作部２０を用いて、副画像を表示するように指示すると、まず、優先順位決定部１１が、原画像記憶部１４に記憶されている全ての画像データに対して優先順位を割り当て（Ｓ６０１）、また、原画像データの全てのページに対して優先順位を割り当て（Ｓ６０２）、それらを管理テーブルに記述する。このとき優先順位決定部１１は、前述した各種のアルゴリズムのうちのいずれかを用いて優先順位を決定すればよい。
【００７２】
次に、画像表示装置１は管理テーブルに記述された優先順位に従って副画像データを生成する。まず、ＣＰＵ１３は副画像生成部１２に優先順位１位の原画像に対応する副画像データを生成させるべく、変数ｉ（ｉ≦Ｎ，ｉ：自然数）に「１」を設定する（Ｓ６０３）。次に、副画像生成部１２は、設定された優先順位１位の原画像における最優先ページ（２ページ目）を圧縮して、図１３に示した副画像Ａ２を表す副画像データを生成し、表示制御部１７に供給する。表示制御部１７は、供給された副画像データに基づき副画像Ａ２を表示装置１８に表示させる（Ｓ６０４）。次に、ＣＰＵ１３は、最大個数Ｎの副画像データが生成されたか否かを判断する（Ｓ６０５）。図１３の例の場合、Ｎ＝６、つまり表示制御部１７は６個の副画像を表示装置１８に表示させることが可能であるため、ＣＰＵ１３は、Ｎ個の副画像データが生成されていないと判断する（Ｓ６０５；Ｆ）。そして、ＣＰＵ１３は変数ｉ＝ｉ＋１とし（Ｓ６０６）、ステップＳ６０４の処理に戻る。この場合、変数ｉ＝２となるので、副画像生成部１２は、優先順位２位の原画像における最優先ページ（１ページ目）を圧縮して、図１３に示した副画像Ｂを表す副画像データを生成し、表示制御部１７に供給する。表示制御部１７は、供給された副画像データに基づき副画像Ｂを表示装置１８に表示させる（Ｓ６０４）。
【００７３】
以上のような処理ステップＳ６０４〜Ｓ６０６が、Ｎ個の副画像が表示装置１８に表示されるまで繰り返される。Ｎ個の副画像が生成・表示されると（Ｓ６０５；Ｔ）、副画像データがまだ生成されていない原画像データにおける最優先ページについての副画像データを優先順位に従って生成する処理が開始される。まず、ＣＰＵ１３は、変数ｊ（ｊ：自然数）＝ｉ＋１とする（Ｓ６０７）。このときはＮ個の副画像の表示を終えた直後であるから、変数ｉ＝Ｎ（＝６）であり、変数ｊ＝７である。そして、副画像生成部１２は、優先順位７位の原画像における最優先ページ（１ページ目）を圧縮して、図１３に示した副画像Ｇ１を表す副画像データを生成し、副画像記憶部１６に記憶させる（Ｓ６０８）。
【００７４】
次に、ＣＰＵ１３は、原画像記憶部１４に記憶された全ての原画像データの最優先ページについて副画像データが生成・記憶されたか否かを判断する（Ｓ６０９）。図１３の例の場合、１２個の原画像データが原画像記憶部１４に記憶されているのに対し、副画像生成部１２はまだ優先順位７位の原画像における最優先ページについての副画像データを生成しただけであるから、ＣＰＵ１３は、全ての原画像における最優先ページについての副画像データが生成されていないと判断する（Ｓ６０９；Ｆ）。そして、ＣＰＵ１３は変数ｊ＝ｊ＋１とし（Ｓ６１０）、ステップＳ６０８の処理に戻る。この場合、変数ｊ＝８となるので、副画像生成部１２は、優先順位８位の原画像における最優先ページ（１ページ目）を圧縮して、図１３に示した副画像Ｈを表す副画像データを生成し、副画像記憶部１６に記憶させる。以上のような処理ステップＳ６０８〜Ｓ６１０が、全ての原画像における最優先ページについて副画像データを生成・記憶するまで繰り返される。
【００７５】
このようにして、副画像Ａ２，Ｂ，Ｃ，Ｄ３，Ｅ，Ｆ２が表示装置１８に表示されている状態で、まだ表示されていない副画像Ｇ１，Ｈ，Ｉ，Ｊ３，Ｋ，Ｌを表す副画像データが順次生成されて副画像記憶部１６に記憶される。ユーザが図１３に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６は優先順位７位から優先順位１２位までの原画像に対応する６個分の副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第６実施形態の説明である。
【００７６】
（Ｂ−７）第７実施形態
次に第７実施形態について説明する。
図１５は、第７実施形態において、表示装置１８に一覧形式で表示される副画像の例を示している。図では、表示装置１８に表示可能な副画像の最大個数Ｎ＝６としている。
【００７７】
第７実施形態に係る画像表示装置１は、原画像記憶部１４に記憶された各々の原画像データにおける最優先ページについての副画像を表す副画像データを優先順位に従って生成する。ユーザが副画像を表示するように画像表示装置１に指示すると、表示装置１８に最初に表示されるのは、優先順位１位から優先順位６位の原画像における最優先ページについての副画像Ａ２，Ｂ，Ｃ，Ｄ３，Ｅ，Ｆ２である。画像表示装置１は、これらの副画像Ａ２，Ｂ，Ｃ，Ｄ３，Ｅ，Ｆ２を表示し終えると、直ちに、まだ表示されていない副画像を表す副画像データを優先順位に従って生成し、これを記憶しておく。第７実施形態では、画像表示装置１は優先順位に従って、表示装置１８に最初に表示した副画像に対応する原画像における最優先ページを除くページについて、各原画像データにおけるページ順に従って連続して副画像データを生成・記憶する。ここでは、画像表示装置１は、原画像の優先順位に従い、原画像における最優先ページの次ページから最終ページまでについてページ番号が昇順となるように副画像データを生成し、これらを生成し終えると、１ページ目から最優先ページの前ページまでについてページ番号が昇順となるように副画像データを生成する。つまり、図中のＡ３，Ａ１，Ｄ４，Ｄ５，Ｄ１，Ｄ２，Ｆ３，Ｆ４，Ｆ１という順序で副画像データが生成・記憶されることになる。このように、優先順位が高い原画像に対応する副画像群を表示し終えると直ちに、最初に表示装置１８に表示させた副画像群に対応する原画像における最優先ページを除くページに対応する原画像データについての副画像データの生成処理を開始して、副画像データを用意しておくのである。このようにすれば、ユーザが図１５に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００７８】
次に、第７実施形態における画像表示装置１の動作について説明する。
図１６は、画像表示装置１が行う処理の過程を示したフローチャートである。図の説明において、表示装置１８に表示可能な副画像の最大個数をＮとし、管理テーブルの構成を図２に示した内容とする。
【００７９】
ユーザが操作部２０を用いて、副画像を表示するように指示すると、まず、優先順位決定部１１が、原画像記憶部１４に記憶されている全ての原画像データに対して優先順位を割り当て（Ｓ７０１）、また、原画像データにおける全てのページに対して優先順位を割り当て（Ｓ７０２）、それらを管理テーブルに記述する。このとき優先順位決定部１１は、前述した各種のアルゴリズムのうちのいずれかを用いて優先順位を決定すればよい。
【００８０】
次に、画像表示装置１は管理テーブルに記述された優先順位に従って副画像データを生成する。まず、ＣＰＵ１３は副画像生成部１２に優先順位１位の原画像に対応する副画像データを生成させるべく、変数ｉ（ｉ≦Ｎ，ｉ：自然数）に「１」を設定する（Ｓ７０３）。次に、副画像生成部１２は、割り当てられた優先順位１位の原画像における最優先ページ（２ページ目）を圧縮して、図１５に示した副画像Ａ２を表す副画像データを生成し、表示制御部１７に供給する。表示制御部１７は、供給された副画像データに基づき副画像Ａ２を表示装置１８に表示させる（Ｓ７０４）。次に、ＣＰＵ１３は、最大個数Ｎの副画像データが生成されたか否かを判断する（Ｓ７０５）。図１５の例の場合、Ｎ＝６、つまり、表示制御部１７は６個の副画像を表示装置１８に表示させることが可能であるため、ＣＰＵ１３は、Ｎ個の副画像データが生成されていないと判断する（Ｓ７０５；Ｆ）。そして、ＣＰＵ１３は変数ｉ＝ｉ＋１とし（Ｓ７０６）、ステップＳ７０４の処理に戻る。この場合、変数ｉ＝２となるので、副画像生成部１２は、優先順位２位の原画像における最優先ページ（１ページ目）を圧縮して、図１５に示した副画像Ｂを表す副画像データを生成し、表示制御部１７に供給する。表示制御部１７は、供給された副画像データに基づき副画像Ｂを表示装置１８に表示させる（Ｓ７０４）。
【００８１】
以上のような処理ステップＳ７０４〜Ｓ７０６が、Ｎ個の副画像が表示装置１８に表示されるまで繰り返される。Ｎ個の副画像が生成・表示されると（Ｓ７０５；Ｔ）、ステップＳ７０４で副画像データを生成した原画像データにおける最優先ページを除くページについて副画像を優先順位に従って生成する処理が開始される。
【００８２】
まず、ＣＰＵ１３は、変数ｉ＝１とし（Ｓ７０７）、変数ｊ（ｊ：自然数）を原画像における最優先ページのページ番号とする（Ｓ７０８）。図１５の例の場合では、変数ｉ＝１である優先順位１位の原画像における最優先ページは２ページ目であるため、変数ｊ＝２となる。次に、ＣＰＵ１３は、優先順位ｉ位の原画像における最終ページについて副画像データが生成されたか否かを判断する（Ｓ７０９）。図１５の例の場合では、優先順位１位の原画像における最終ページは３ページ目であるため、ＣＰＵ１３は、当該原画像データの最終ページについて副画像データが生成されていないと判断する（Ｓ７０９；Ｆ）。そして、ＣＰＵ１３は変数ｊ＝ｊ＋１とし（Ｓ７１０）、副画像生成部１２は、優先順位１位の原画像における最優先ページの次ページ（３ページ目）を圧縮して、図１５に示した副画像Ａ３を表す副画像データを生成し、ステップＳ７０９の処理に戻る。以上のような処理ステップＳ７０９〜Ｓ７１１が、優先順位１位の原画像における最終ページについて副画像データが生成されるまで繰り返される。当該原画像における最終ページについて副画像データが生成されると（Ｓ７０９）、ＣＰＵ１３は変数ｊ＝１（Ｓ７１２）とし、変数ｊが最優先ページのページ番号に等しいか否かを判定する（Ｓ７１３）。図１５の例の場合では、優先順位１位の原画像における最優先ページは２ページ目であるのに対して、変数ｊ＝３であるため、ＣＰＵ１３は変数ｊが最優先ページのページ番号に等しくないと判断する（Ｓ７１３；Ｆ）。そして、副画像生成部１２は、優先順位１位の原画像における変数ｊが示すページ番号のページを圧縮して、図１５に示した副画像Ａ１を表す副画像データを生成し（Ｓ７１４）、変数ｊ＝ｊ＋１（Ｓ７１５）とし、ステップＳ７１３の処理に戻る。上記のような処理ステップＳ７１３〜７１５が、変数ｊが最優先ページのページ番号に等しくなるまで繰り返される。変数ｊが最優先ページのページ番号に等しくなれば（Ｓ７１３；Ｔ）、ＣＰＵ１３は変数ｉ＝ｉ＋１とし（Ｓ７１６）、変数ｉが最大個数Ｎに等しいか否かを判断する（Ｓ７１７）。図１５の例の場合では、最大個数Ｎ（Ｎ＝６）に対して、副画像生成部１２は優先順位１位の原画像における全てのページについて副画像データを生成しただけであるから、ＣＰＵ１３は優先順位Ｎ位の原画像における全てのページについて副画像データが生成されていないと判断し（Ｓ７１７；Ｆ）、ステップＳ７０８に戻る。この場合、変数ｉ＝２となるので、副画像生成部１２は、優先順位２位の原画像について、上記処理ステップＳ７０８〜Ｓ７１７を行い、優先順位Ｎ位までの原画像における全てのページについて副画像データを生成・記憶するまで繰り返される。
【００８３】
このようにして、副画像Ａ２，Ｂ，Ｃ，Ｄ３，Ｅ，Ｆ２が表示装置１８に表示されている状態で、まだ表示されていない副画像Ａ３，Ａ１，Ｄ４，Ｄ５，Ｄ１，Ｄ２，Ｆ３，Ｆ４，Ｆ１を表す副画像データが順次生成されて副画像記憶部１６に記憶される。ユーザが図１５に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６はまだ表示されていない副画像が表す副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第７実施形態の説明である。
【００８４】
（Ｂ−８）第８実施形態
次に第８実施形態について説明する。
図１７は、第８実施形態において、表示装置１８に一覧形式で表示される副画像の例を示している。図では、表示装置１８に表示可能な副画像の最大個数Ｎ＝６としている。
【００８５】
第８実施形態に係る画像表示装置１は、原画像記憶部１４に記憶された各々の原画像データにおける最優先ページについて副画像データを優先順位に従って生成する。ユーザが副画像を表示するように画像表示装置１に指示すると、表示装置１８に最初に表示されるのは、優先順位１位から優先順位６位の原画像における最優先ページについての副画像Ａ２，Ｂ，Ｃ，Ｄ３，Ｅ，Ｆ２である。画像表示装置１は、これらの副画像Ａ２，Ｂ，Ｃ，Ｄ３，Ｅ，Ｆ２を表示し終えると、直ちに、まだ表示されていない副画像を表す副画像データを優先順位に従って生成し、これを記憶しておく。第８実施形態では、画像表示装置１は優先順位に従って、表示装置１８に最初に表示した副画像に対応する原画像データにおける最優先ページを除くページについて、各原画像データから１ページずつ、且つ、各原画像データにおけるページ順に従って副画像データを生成・記憶する。ここでは、画像表示装置１は、原画像の優先順位に従い、原画像における最優先ページの次ページから最終ページまでについてページ番号が昇順となるように副画像データを生成し、これらを生成し終えると、１ページ目から最優先ページの前ページまでについてページ番号が昇順となるように副画像データを生成する。つまり、図中のＡ３，Ｄ４，Ｆ３，Ａ１，Ｄ５，Ｆ４，Ｄ１，Ｆ１，Ｄ２という順序で副画像データが生成されて記憶されることになる。このようにすれば、ユーザが図１７に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００８６】
次に、第８実施形態における画像表示装置１の動作について説明する。
図１８は、画像表示装置１が行う処理の過程を示したフローチャートである。図の説明において、表示装置１８に表示可能な副画像の最大個数をＮとし、管理テーブルの構成を図２に示した内容とする。
【００８７】
ユーザが操作部２０を用いて、副画像を表示するように指示すると、まず、優先順位決定部１１が、原画像記憶部１４に記憶されている全ての原画像データに対して優先順位を割り当て（Ｓ８０１）、また、原画像データにおける全てのページに対して優先順位を割り当て（Ｓ８０２）、それらを管理テーブルに記述する。このとき優先順位決定部１１は、前述した各種のアルゴリズムのうちのいずれかを用いて優先順位を決定すればよい。
【００８８】
次に、画像表示装置１は管理テーブルに記述された優先順位に従って副画像データを生成する。まず、ＣＰＵ１３は副画像生成部１２に優先順位１位の原画像に対応する副画像データを生成させるべく、変数ｉ（ｉ≦Ｎ，ｉ：自然数）に「１」を設定する（Ｓ８０３）。次に、副画像生成部１２は、設定された優先順位１位の原画像における最優先ページに（２ページ目）を圧縮して、図１７に示した副画像Ａ２を表す副画像データを生成し、表示制御部１７に供給する。表示制御部１７は、供給された副画像データに基づき副画像Ａ２を表示装置１８に表示させる（Ｓ８０４）。次に、ＣＰＵ１３は、最大個数Ｎの副画像データが生成されたか否かを判断する（Ｓ８０５）。図１７の例の場合、Ｎ＝６、つまり、表示制御部１７は６個の副画像を表示装置１８に表示させることが可能であるため、ＣＰＵ１３は、Ｎ個の副画像データが生成されていないと判断する（Ｓ８０５；Ｆ）。そして、ＣＰＵ１３は変数ｉ＝ｉ＋１とし（Ｓ８０６）、ステップＳ８０４の処理に戻る。この場合、変数ｉ＝２となるので、副画像生成部１２は、優先順位２位の原画像における最優先ページ（１ページ目）を圧縮して、図１７に示した副画像Ｂを表す副画像データを生成し、表示制御部１７に供給する。表示制御部１７は、供給された副画像データに基づき副画像Ｂを表示装置１８に表示させる（Ｓ８０４）。
【００８９】
以上のような処理ステップＳ８０４〜Ｓ８０６が、Ｎ個の副画像が表示装置１８に表示されるまで繰り返される。Ｎ個の副画像が生成・表示されると（Ｓ８０５；Ｔ）、ステップＳ８０４で副画像データを生成した原画像データの、副画像の最優先ページを除くページについて副画像を優先順位に従って生成する処理が開始される。
【００９０】
まず、ＣＰＵ１３は、変数ｊ（ｉ）（ｊ（ｉ）：自然数）を優先順位ｉ位の原画像における最優先ページのページ番号を示すこととし（Ｓ８０７）、変数ｉ＝１とする（Ｓ８０８）。次に、ＣＰＵ１３は、優先順位ｉ位の原画像における最終ページについて副画像データが生成されたか否かを判断する（Ｓ８０９）。図１７の例の場合では、副画像生成部１２は、優先順位１位の原画像における最優先ページ（２ページ目）についてのみ副画像データを生成しただけなので、ＣＰＵ１３は最終ページである３ページ目についての副画像データは生成されていないと判断する（Ｓ８０９；Ｆ）。ＣＰＵ１３は、変数ｊ（ｉ）＝ｊ（ｉ）＋１（Ｓ８１０）とし、変数ｊ（ｉ）が示すページ番号のページについて副画像データを生成させる（Ｓ８１１）。そして、ＣＰＵ１３は、変数ｉが最大個数Ｎに等しいか否かを判断する（Ｓ８１２）。図１７の例の場合では、ＣＰＵ１３は、変数ｉ＝２であるのに対し、最大個数Ｎ＝６であるため、変数ｉは最大個数Ｎに等しくないと判断する（Ｓ８１２；Ｆ）。そして、ＣＰＵ１３は変数ｉ＝ｉ＋１とし（Ｓ８１３）、ステップＳ８０９の処理に戻る。この場合、変数ｉ＝２であるので、ＣＰＵ１３は優先順位２位の原画像における最終ページについて副画像データが生成されたか否かを判断する（Ｓ８０９）。副画像生成部１２が優先順位ｉ位の原画像における最終ページについて副画像データを生成するまで、上記処理ステップＳ８０８〜Ｓ８１３が繰り返される。そして、ＣＰＵ１３が優先順位ｉ位の原画像における最終ページについて副画像データが生成されたと判断すると（Ｓ８０９；Ｔ）、当該原画像における全てのページについて副画像データが生成されたか否かを判断する（Ｓ８１４）。図１７の例の場合では、副画像生成部１２は優先順位１位の原画像においては、最優先ページ（２ページ目）と最終ページ（３ページ目）について副画像データを生成しただけなので、ＣＰＵ１３は全てのページについて副画像データが生成されていないと判断する（Ｓ８１４；Ｆ）。そして、ＣＰＵ１３は変数ｊ（ｉ）が原画像における最終ページのページ番号に等しいか否かを判断する（Ｓ８１５）。図１７の例の場合では、最終ページについて副画像データが生成された直後であるから、ＣＰＵ１３は変数ｊ（１）＝３のため、変数ｊ（１）が最終ページのページ番号に等しいと判断する（Ｓ８１５；Ｔ）。そして、ＣＰＵ１３は変数ｊ（ｉ）＝１とし、原画像データの１ページ目について副画像を生成させると（Ｓ８１７）、変数ｊ（ｉ）＝ｊ（ｉ）＋１とする（Ｓ８１８）。そして、ＣＰＵ１３は、変数ｉが最大個数Ｎに等しいか否かを判断する（Ｓ８１９）。図１７の例の場合では、ＣＰＵ１３は、優先順位１位の原画像に対応する副画像データを生成された直後で、変数ｉ＝２なので、変数ｉは最大個数Ｎに等しくないと判断する（Ｓ８１９；Ｆ）。そして、ＣＰＵ１３は変数ｉ＝ｉ＋１とし（Ｓ８２０）、処理ステップＳ８０９に戻る。上記処理ステップＳ８０８〜Ｓ８２０が、変数ｉが最大個数Ｎに等しくなるまで繰り返される。そして、ＣＰＵ１３が、変数ｉが最大個数Ｎに等しいと判断すると（Ｓ８１９；Ｔ）、優先順位１位から優先順位Ｎ位までの原画像における全てのページについて副画像データが生成されたかを判断する（Ｓ８２１）。図１７の例の場合では、副画像生成部１２はまだ優先順位１位から優先順位Ｎ位までの原画像において、２ページずつについてのみ副画像データを生成しただけなので、ＣＰＵ１３は優先順位１位から優先順位Ｎ位までの原画像における全てのページについての副画像データが生成されていないと判断する（Ｓ８２１；Ｆ）。すると、ＣＰＵ１３はステップＳ８０８に戻り、副画像生成部１２が優先順位１位から優先順位Ｎ位までの原画像における全てのページについて副画像データを生成するまで、上記処理ステップＳ８０８〜Ｓ８２１を繰り返す。
【００９１】
このようにして、副画像Ａ２，Ｂ，Ｃ，Ｄ３，Ｅ，Ｆ２が表示装置１８に表示されている状態で、まだ表示されていない副画像Ａ３，Ｄ４，Ｆ３，Ａ１，Ｄ５，Ｆ４，Ｄ１，Ｆ１，Ｄ２を表す副画像データが順次生成されて副画像記憶部１６に記憶される。ユーザが図１７に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６がまだ表示されていない副画像が表す副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第８実施形態の説明である。
【００９２】
（Ｂ−９）第９実施形態
次に第９実施形態について説明する。
図１９は、第９実施形態において、表示装置１８に一覧形式で表示される副画像の例を示している。図では、表示装置１８に表示可能な副画像の最大個数Ｎ＝６としている。
【００９３】
第９実施形態に係る画像表示装置１は、原画像記憶部１４に記憶された各々の原画像データにおける最優先ページについての副画像データを優先順位に従って生成する。ユーザが副画像を表示するように画像表示装置１に指示すると、表示装置１８に最初に表示されるのは、優先順位１位から優先順位６位の原画像における最優先ページについての副画像Ａ２，Ｂ，Ｃ，Ｄ３，Ｅ，Ｆ２である。画像表示装置１は、これらの副画像Ａ２，Ｂ，Ｃ，Ｄ３，Ｅ，Ｆ２を表示し終えると、直ちに、まだ表示されていない副画像を表す副画像データを優先順位に従って生成し、これを記憶しておく。第９実施形態では、画像表示装置１は優先順位に従って、優先順位Ｎ＋１位から優先順位Ｎ＋Ｍ位までの原画像における最優先ページについて副画像データを生成し、表示装置１８に最初に表示した副画像に対応する原画像における最優先ページを除くページについて、各原画像データにおけるページ順に従って連続して副画像データを生成する。なお、予め設定された個数Ｍはユーザの操作により設定することが可能であり、前記で示した表示装置１８に表示される副画像が表す副画像データに続いて生成することになり、図１９の例では、個数Ｍ＝３としており、図中の副画像Ｇ１，Ｈ，Ｉが生成される。そして、最初に表示装置１８に表示させた副画像に対応する原画像における最優先ページを除くページについて副画像データを生成・記憶する。ここでは、画像表示装置１は、原画像の優先順位に従い、原画像における最優先ページの次ページから最終ページまでについて副画像データを生成し、これらを生成し終えると、１ページ目から最優先ページの前ページまでについて各原画像データにおけるページ順に従って連続して副画像データを生成・記憶する。つまり、図中のＡ３，Ａ１，Ｄ４，Ｄ５，Ｄ１，Ｄ２，Ｆ３，Ｆ４，Ｆ１という順序で副画像データが生成・記憶されることになる。このように、画像表示装置１は優先順位が高い原画像における最優先ページについての副画像群を表示し終えると直ちに、個数Ｍの副画像データ及び最初に表示装置１８に表示させた副画像群に対応する原画像における最優先ページを除くページに対応する原画像データについての副画像データの生成処理を開始して、副画像データを用意しておくのである。このようにすれば、ユーザが図１９に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【００９４】
図２０は、画像表示装置１が行う処理の過程を示したフローチャートである。図の説明において、表示装置１８に表示可能な副画像の最大個数をＮとし、管理テーブルの構成を図２に示した内容とする。
【００９５】
ユーザが操作部２０を用いて、副画像を表示するように指示すると、まず、優先順位決定部１１が、原画像記憶部１４に記憶されている全ての原画像データに対して優先順位を割り当て（Ｓ９０１）、また、原画像データにおける全てのページに対して優先順位を割り当て（Ｓ９０２）、それらを管理テーブルに記述する。このとき優先順位決定部１１は、前述した各種のアルゴリズムのうちのいずれかを用いて優先順位を決定すればよい。
【００９６】
次に、画像表示装置１は管理テーブルに記述された優先順位に従って副画像データを生成する。まず、ＣＰＵ１３は副画像生成部１２に優先順位１位の原画像に対応する副画像データを生成させるべく、変数ｉ（ｉ≦Ｎ，ｉ：自然数）に「１」を設定する（Ｓ９０３）。次に、副画像生成部１２は、設定された優先順位１位の原画像における最優先ページ（２ページ目）を圧縮して、図１９に示した副画像Ａ２を表す副画像データを生成し、表示制御部１７に供給する。表示制御部１７は、供給された副画像データに基づき副画像Ａ２を表示装置１８に表示させる（Ｓ９０４）。次に、ＣＰＵ１３は、最大個数Ｎの副画像データが生成されたか否かを判断する（Ｓ９０５）。図１９の例の場合、Ｎ＝６、つまり、表示制御部１７は６個の副画像を表示装置１８に表示させることが可能であるため、ＣＰＵ１３は、Ｎ個の副画像データが生成されていないと判断する（Ｓ９０５；Ｆ）。そして、ＣＰＵ１３は変数ｉ＝ｉ＋１とし（Ｓ９０６）、ステップＳ９０４の処理に戻る。この場合、変数ｉ＝２となるので、副画像生成部１２は、優先順位２位の原画像における最優先ページ（１ページ目）を圧縮して、図１９に示した副画像Ｂを表す副画像データを生成し、表示制御部１７に供給する。表示制御部１７は、供給された副画像データに基づき副画像Ｂを表示装置１８に表示させる（Ｓ９０４）。
【００９７】
以上のような処理ステップＳ９０４〜Ｓ９０６が、Ｎ個の副画像が表示装置１８に表示されるまで繰り返される。Ｎ個の副画像が生成・表示されると（Ｓ９０５；Ｔ）、ステップＳ９０４で副画像データを生成した原画像データにおける最優先ページを除くページについて副画像データを優先順位に従って生成する処理が開始される。まず、ＣＰＵ１３は、変数ｉ＝ｉ＋１とする（Ｓ９０７）。図１９の例の場合、Ｎ個の副画像の表示を終えた直後であるから、変数ｉ＝７となる。そして、副画像生成部１２は、優先順位７位の原画像における最優先ページ（１ページ目）を圧縮して、図１９に示した副画像Ｇ１を表す副画像データを生成し、副画像記憶部１６に記憶させる（Ｓ９０８）。次に、ＣＰＵ１３は、優先順位Ｎ＋Ｍ位の原画像における最優先ページについて副画像データが生成されたか否かを判断する（Ｓ９０９）。ここでは、個数Ｍ＝３としており、Ｎ＋Ｍ＝９となるから、副画像生成部１２はまだ優先順位７位の原画像における最優先ページについて副画像データを生成しただけなので、ＣＰＵ１３は優先順位９位の原画像における最優先ページについての副画像データを生成していないと判断する（Ｓ９０９；Ｆ）。そして、ＣＰＵ１３は変数ｉ＝ｉ＋１とし（Ｓ９１０）、ステップＳ９０７の処理に戻る。この場合、変数ｉ＝８となるので、副画像生成部１２は、優先順位８位の原画像における最優先ページ（１ページ目）を圧縮して、図１９に示した副画像Ｈを表す副画像データを生成し、副画像記憶部１６に記憶させる。上記処理ステップＳ９０７〜Ｓ９１０が、優先順位Ｎ＋Ｍ位の原画像における最優先ページについて副画像データが生成・記憶されるまで繰り返される。優先順位Ｎ＋Ｍ位の原画像における最優先ページについて副画像データが生成されると（Ｓ９０９；Ｔ）、ステップＳ９０４で副画像データを生成した原画像データにおける最優先ページを除くページについて副画像データを優先順位に従って生成する処理が開始される。
【００９８】
まず、ＣＰＵ１３は、変数ｉ＝１とし（Ｓ９１１）、変数ｊ（ｊ：自然数）を原画像における最優先ページのページ番号とする（Ｓ９１２）。図１９の例の場合では、変数ｉ＝１である優先順位１位の原画像における最優先ページは２ページ目であるため、変数ｊ＝２となる。次に、ＣＰＵ１３は、優先順位ｉ位の原画像における最終ページについて副画像が生成されたか否かを判断する（Ｓ９１３）。図１９の例の場合では、優先順位１位の原画像における最終ページは３ページ目であるため、ＣＰＵ１３は、当該原画像データの最終ページについて副画像データが生成されていないと判断する（Ｓ９１３；Ｆ）。そして、ＣＰＵ１３は変数ｊ＝ｊ＋１とし（Ｓ９１４）、副画像生成部１２は、優先順位１位の原画像における最優先ページの次ページ（３ページ目）を圧縮して、図１９に示した副画像Ａ３を表す副画像データを生成し、ステップＳ９１３の処理に戻る。以上のような処理ステップＳ９１３〜Ｓ９１５が、優先順位１位の原画像における最終ページについて副画像が生成されるまで繰り返される。当該原画像における最終ページについて副画像データが生成されると（Ｓ９１３）、ＣＰＵ１３は変数ｊ＝１（Ｓ９１６）とし、変数ｊが最優先ページのページ番号に等しいか否かを判定する（Ｓ９１７）。図１９の例の場合では、優先順位１位の原画像における最優先ページは２ページ目であるのに対して、変数ｊ＝３であるため、ＣＰＵ１３は変数ｊが最優先ページのページ番号に等しくないと判断する（Ｓ９１７；Ｆ）。そして、副画像生成部１２は、優先順位１位の原画像における変数ｊが示すページ番号のページを圧縮して、図１９に示した副画像Ａ１を表す副画像データを生成し（Ｓ９１８）、変数ｊ＝ｊ＋１（Ｓ９１９）とし、ステップＳ９１７の処理に戻る。上記のような処理ステップＳ９１７〜９１９が、変数ｊが最優先ページのページ番号に等しくなるまで繰り返される。変数ｊが最優先ページのページ番号に等しくなれば（Ｓ９１７；Ｔ）、ＣＰＵ１３は変数ｉ＝ｉ＋１とし（Ｓ９２０）、変数ｉが最大個数Ｎに等しいか否かを判断する（Ｓ９２１）。図１９の例の場合では、最大個数Ｎ（Ｎ＝６）に対して、副画像生成部１２は優先順位１位の原画像における全てのページについて副画像データを生成しただけであるから、ＣＰＵ１３は優先順位Ｎ位の原画像における全てのページについて副画像データが生成されていないと判断し（Ｓ９２１；Ｆ）、ステップＳ９１２に戻る。この場合、変数ｉ＝２となるので、副画像生成部１２は、優先順位２位の原画像について、上記処理ステップＳ９１２〜Ｓ９２１を行い、優先順位Ｎ位までの原画像における全てのページについて副画像を生成・記憶するまで繰り返される。
【００９９】
このようにして、副画像Ａ２，Ｂ，Ｃ，Ｄ３，Ｅ，Ｆ２が表示装置１８に表示されている状態で、まだ表示されていない副画像Ｇ１，Ｈ，Ｉ，Ａ３，Ａ１，Ｄ４，Ｄ５，Ｄ１，Ｄ２，Ｆ３，Ｆ４，Ｆ１を表す副画像データが順次生成されて副画像記憶部１６に記憶される。ユーザが図１９に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６はまだ表示されていない副画像が表す副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第９実施形態の説明である。
【０１００】
（Ｂ−１０）第１０実施形態
図２１は、第１０実施形態において、表示装置１８に一覧形式で表示される副画像の例を示している。図では、表示装置１８に表示可能な副画像の最大個数Ｎ＝６としている。
【０１０１】
第１０実施形態に係る画像表示装置１は、原画像記憶部１４に記憶された各々の原画像データにおける最優先ページについての副画像を表す副画像データを優先順位に従って生成する。ユーザが副画像を表示するように画像表示装置１に指示すると、表示装置１８に最初に表示されるのは、優先順位１位から優先順位６位の原画像における最優先ページについての副画像Ａ２，Ｂ，Ｃ，Ｄ３，Ｅ，Ｆ２である。画像表示装置１は、これらの副画像Ａ２，Ｂ，Ｃ，Ｄ３，Ｅ，Ｆ２を表示し終えると、直ちに、まだ表示されていない副画像を表す副画像データを原画像データの優先順位に従って生成し、これを記憶しておく。第１０実施形態では、画像表示装置１は優先順位に従って、優先順位Ｎ＋１位から優先順位Ｎ＋Ｍ位までの原画像における最優先ページについて副画像データを生成して、表示装置１８に最初に表示した副画像に対応する原画像データにおける最優先ページを除くページについて各原画像データから１ページずつ、且つ、各原画像データにおけるページ順に従って副画像データを生成・記憶する。なお、予め設定された個数Ｍはユーザの操作により設定することが可能であり、表示装置１８に最初に表示される副画像が表す副画像データに続いて生成することになり、図２１の例では、個数Ｍ＝３としており、図中の副画像Ｇ１，Ｈ，Ｉが生成される。引き続いて、各原画像データから１ページずつ、且つ、各原画像データにおけるページ順に従って副画像データを生成・記憶する。ここでは、画像表示装置１は、原画像の優先順位に従い、原画像における最優先ページの次ページから最終ページまでについてページ番号が昇順となるように副画像データを生成し、これらを生成し終えると、１ページ目から最優先ページの前ページまでについてページ番号が昇順となるように副画像データを生成する。つまり、図中のＡ３，Ｄ４，Ｆ３，Ａ１，Ｄ５，Ｆ４，Ｄ１，Ｆ１，Ｄ２という順序で副画像データが生成・記憶されることになる。このように、優先順位が高い原画像に対応する副画像群を表示し終えると直ちに、個数Ｍの副画像データ及び表示装置１８に最初に表示させた副画像群に対応する原画像における最優先ページを除くページについての副画像データの生成処理を開始して、副画像データを用意しておくのである。このようにすれば、ユーザが図２１に示した状態でスクロール操作（表示内容を切り替える操作）を行うと、画像表示装置１は既に記憶していた（用意しておいた）副画像データを読み出して表示するだけでよいので、ユーザがスクロール操作を行ってから副画像を表示するまでの時間をより短縮することができる。
【０１０２】
図２２は、画像表示装置１が行う処理の過程を示したフローチャートである。図の説明において、表示装置１８に表示可能な副画像の最大個数をＮとし、管理テーブルの構成を図２に示した内容とする。
【０１０３】
ユーザが操作部２０を用いて、副画像を表示するように指示すると、まず、優先順位決定部１１が、原画像記憶部１４に記憶されている全ての原画像データに対して優先順位を割り当て（Ｓ１００１）、また、原画像データの全てページに対して優先順位を割り当て（Ｓ１００２）、それらを管理テーブルに記述する。このとき優先順位決定部１１は、前述した各種のアルゴリズムのうちのいずれかを用いて優先順位を決定すればよい。
【０１０４】
次に、画像表示装置１は管理テーブルに記述された優先順位に従って副画像データを生成する。まず、ＣＰＵ１３が副画像生成部１２に優先順位１位の原画像に対応する副画像データを生成させるべく、変数ｉ（ｉ≦Ｎ，ｉ：自然数）に「１」を設定する（Ｓ１００３）。次に、副画像生成部１２は、設定された優先順位１位の原画像における最優先ページ（２ページ目）を圧縮して、図２１に示した副画像Ａ２を表す副画像データを生成し、表示制御部１７に供給する。表示制御部１７は、供給された副画像データに基づき副画像Ａ２を表示装置１８に表示させる（Ｓ１００４）。次に、ＣＰＵ１３は、最大個数Ｎの副画像データが生成されたか否かを判断する（Ｓ１００５）。図２１の例の場合、Ｎ＝６、つまり、表示制御部１７は６個の副画像を表示装置１８に表示させることが可能であるため、ＣＰＵ１３は、Ｎ個の副画像データが生成されていないと判断する（Ｓ１００５；Ｆ）。そして、ＣＰＵ１３は変数ｉ＝ｉ＋１とし（Ｓ１００６）、ステップＳ１００４の処理に戻る。この場合、変数ｉ＝２となるので、副画像生成部１２は、優先順位２位の原画像における最優先ページ（１ページ目）を圧縮して、図２１に示した副画像Ｂを表す副画像データを生成し、表示制御部１７に供給する。表示制御部１７は、供給された副画像データに基づき副画像Ｂを表示装置１８に表示させる（Ｓ１００４）。
【０１０５】
以上のような処理ステップＳ１００４〜Ｓ１００６が、Ｎ個の副画像が表示装置１８に表示されるまで繰り返される。Ｎ個の副画像が生成・表示されると（Ｓ１００５；Ｔ）、ステップＳ１００４で副画像データを生成した原画像データにおける最優先ページを除くページについて副画像データを優先順位に従って生成する処理が開始される。まず、ＣＰＵ１３は、変数ｉ＝ｉ＋１とする（Ｓ１００７）。図２１の例の場合、Ｎ個の副画像の表示を終えた直後であるから、変数ｉ＝７となる。そして、副画像生成部１２は、優先順位７位の原画像における最優先ページ（１ページ目）を圧縮して、図２１に示した副画像Ｇ１を表す副画像データを生成し、副画像記憶部１６に記憶させる（Ｓ１００８）。次に、ＣＰＵ１３は、優先順位Ｎ＋Ｍ位の原画像における最優先ページについて副画像データが生成されたか否かを判断する（Ｓ１００９）。ここでは、個数Ｍ＝３としており、Ｎ＋Ｍ＝９となるから、副画像生成部１２はまだ優先順位７位の原画像における最優先ページについて副画像データを生成しただけなので、ＣＰＵ１３は優先順位９位の原画像における最優先ページについての副画像データを生成していないと判断する（Ｓ１００９；Ｆ）。そして、ＣＰＵ１３は変数ｉ＝ｉ＋１とし（Ｓ１０１０）、ステップＳ９０７の処理に戻る。この場合、変数ｉ＝８となるので、副画像生成部１２は、優先順位８位の原画像における最優先ページ（１ページ目）を圧縮して、図２１に示した副画像Ｈを表す副画像データを生成し、副画像記憶部１６に記憶させる。上記処理ステップＳ１００７〜Ｓ１０１０が、優先順位Ｎ＋Ｍ位の原画像における最優先ページについて副画像データが生成・記憶されるまで繰り返される。優先順位Ｎ＋Ｍ位の原画像における最優先ページについて副画像データが生成されると（Ｓ１００９；Ｔ）、ステップＳ１００４で副画像データを生成した原画像データにおける最優先ページを除くページについて副画像データを優先順位に従って生成する処理が開始される。
【０１０６】
まず、ＣＰＵ１３は、変数ｊ（ｉ）（ｊ（ｉ）：自然数）を優先順位ｉ位の原画像における最優先ページのページ番号を示すこととし（１０１１）、変数ｉ＝１とする（Ｓ１０１２）。次に、ＣＰＵ１３は、優先順位ｉ位の原画像における最終ページについて副画像データが生成されたか否かを判断する（Ｓ１０１３）。図２１の例の場合では、副画像生成部１２は、優先順位１位の原画像における最優先ページ（２ページ目）についてのみ副画像データを生成しただけなので、ＣＰＵ１３は最終ページである３ページ目についての副画像データは生成されていないと判断する（Ｓ１０１３；Ｆ）。ＣＰＵ１３は、変数ｊ（ｉ）＝ｊ（ｉ）＋１（Ｓ１０１４）とし、変数ｊ（ｉ）が示すページ番号のページについて副画像データを生成させる（Ｓ１０１５）。そして、ＣＰＵ１３は、変数ｉが最大個数Ｎに等しいか否かを判断する（Ｓ１０１６）。図２１の例の場合では、ＣＰＵ１３は、変数ｉ＝２であるのに対し、最大個数Ｎ＝６であるため、変数ｉは最大個数Ｎに等しくないと判断する（Ｓ１０１６；Ｆ）。そして、ＣＰＵ１３は変数ｉ＝ｉ＋１とし（Ｓ１０１７）、ステップＳ１０１３の処理に戻る。この場合、変数ｉ＝２であるので、ＣＰＵ１３は優先順位２位の原画像における最終ページについて副画像データが生成されたか否かを判断する（Ｓ１０１３）。副画像生成部１２が優先順位ｉ位の原画像における最終ページについて副画像データを生成するまで、上記処理ステップＳ１０１２〜Ｓ１０１７が繰り返される。そして、ＣＰＵ１３が優先順位ｉ位の原画像における最終ページについて副画像データが生成されたと判断すると（Ｓ１０１３；Ｔ）、当該原画像における全てのページについて副画像データが生成されたか否かを判断する（Ｓ１０１８）。図２１の例の場合では、副画像生成部１２は優先順位１位の原画像においては、最優先ページ（２ページ目）と最終ページ（３ページ目）について副画像データを生成しただけなので、ＣＰＵ１３は全てのページについて副画像データが生成されていないと判断する（Ｓ１０１８；Ｆ）。そして、ＣＰＵ１３は変数ｊ（ｉ）が原画像における最終ページのページ番号に等しいか否かを判断する（Ｓ１０１９）。図２１の例の場合では、最終ページについて副画像データが生成された直後であるから、ＣＰＵ１３は変数ｊ（１）＝３のため、変数ｊ（１）が最終ページのページ番号に等しいと判断する（Ｓ１０１９；Ｔ）。そして、ＣＰＵ１３は変数ｊ（ｉ）＝１とし、原画像データの１ページ目について副画像を生成させると（Ｓ１０２１）、変数ｊ（ｉ）＝ｊ（ｉ）＋１とする（Ｓ１０２２）。そして、ＣＰＵ１３は、変数ｉが最大個数Ｎに等しいか否かを判断する（Ｓ１０２３）。図２１の例の場合では、ＣＰＵ１３は、優先順位１位の原画像に対応する副画像データを生成された直後で、変数ｉ＝２なので、変数ｉは最大個数Ｎに等しくないと判断する（Ｓ１０２３；Ｆ）。そして、ＣＰＵ１３は変数ｉ＝ｉ＋１とし（Ｓ１０２４）、処理ステップＳ１０１３に戻る。上記処理ステップＳ１０１２〜Ｓ１０２４が、変数ｉが最大個数Ｎに等しくなるまで繰り返される。そして、ＣＰＵ１３が、変数ｉが最大個数Ｎに等しいと判断すると（Ｓ８１０２３；Ｔ）、優先順位１位から優先順位Ｎ位までの原画像における全てのページについて副画像データが生成されたかを判断する（Ｓ１０２５）。図２１の例の場合では、副画像生成部１２はまだ優先順位１位から優先順位Ｎ位までの原画像において、２ページずつについてのみ副画像データを生成しただけなので、ＣＰＵ１３は優先順位１位から優先順位Ｎ位までの原画像における全てのページについての副画像データが生成されていないと判断する（Ｓ１０２５；Ｆ）。すると、ステップＳ１０２２に戻り、副画像生成部１２が優先順位１位から優先順位Ｎ位までの原画像における全てのページについて副画像データを生成するまで、上記処理ステップＳ１０２２〜Ｓ１０２５を繰り返す。
【０１０７】
このようにして、副画像Ａ２，Ｂ，Ｃ，Ｄ３，Ｅ，Ｆ２が表示装置１８に表示されている状態で、まだ表示されていない副画像Ｇ１，Ｈ，Ｉ，Ａ３，Ｄ４，Ｆ３，Ａ１，Ｄ５，Ｆ４，Ｄ１，Ｆ１，Ｄ２を表す副画像データが順次生成されて副画像記憶部１６に記憶される。ユーザが図２１に示した状態でスクロール操作を行うと、ＣＰＵ１３はメモリコントローラ１５に指示して、そのときまでに既に記憶しておいた副画像データを読み出させ、それらの副画像データをメモリコントローラ１５から表示制御部１７に供給させる。表示制御部１７は、供給された副画像データに基づき副画像を表示装置１８に表示させる。このとき、副画像記憶部１６はまだ表示されていない副画像が表す副画像データを記憶していなくても、表示制御部１７は既に記憶している副画像データについてはすぐに表示処理に開始することができるし、また、その表示処理と並行して、副画像生成部１２はまだ副画像記憶部１６に記憶されていない副画像データを生成するようにすればよい。なお、副画像の表示は表示装置１８に限らず、外部表示装置２２が行ってもよい。この場合、メモリコントローラ１５によって副画像記憶部１６から読み出された副画像データは通信制御部１９によってネットワーク２１経由で外部表示装置２２に送信される。
以上が第１０実施形態の説明である。
【０１０８】
（Ｃ：変形例）
（Ｃ−１：第７実施形態の変形例）
第７実施形態では、画像表示装置１は表示装置１８に最初に表示する優先順位１位から優先順位Ｎ位までの原画像における最優先ページについて、優先順位に従って、副画像データを生成・記憶した後、各原画像データにおけるページ順に従って連続して、最優先ページの次ページから最終ページまでについてページ番号が昇順となるように副画像データを生成し、これらを生成し終えると、１ページ目から最優先ページの前ページまでについてページ番号が昇順となるように生成していた。つまり、図１５に示すようなＡ３，Ａ１，Ｄ４，Ｄ５，Ｄ１，Ｄ２，Ｆ３，Ｆ４，Ｆ１という順序で副画像データが生成されるようになっていた。
この方法のほかに、画像表示装置１は優先順位に従い、最優先ページの前ページから１ページ目までについてページ番号が降順となるように副画像データを生成し、これらを生成し終えると、最終ページから最優先ページの次ページまでについてページ番号が降順となるように生成してもよい。つまり、図２３に示すようなＡ１，Ａ３，Ｄ２，Ｄ１，Ｄ５，Ｄ４，Ｆ１，Ｆ４，Ｆ３という順序で副画像データを生成してもよい。この場合、前述した図１６のフローチャートのステップＳ７０９で、ＣＰＵ１３が変数ｊが原画像データの最終ページのページ番号に等しいか否かを判断していたが、これに代えて、ＣＰＵ１３が変数ｊ＝１か否かを判断するようにし、変数ｊ＝１でなければステップＳ７１０を変数ｊ＝ｊ−１のようにしてページ番号を小さくすればよい。またステップＳ７１５でも、変数ｊ＝ｊ＋１としていたが、ページ番号を小さくするように変数ｊ＝ｊ−１のように置き換えればよい。
【０１０９】
また、画像表示装置１は最優先ページの次ページから最終ページまでについてページ番号が昇順となるように副画像データを生成して、これらを生成し終えると、最優先ページの前ページから１ページ目までについてページ番号が降順となるように副画像データを生成してもよい。つまり、図２４に示すようなＡ３，Ａ１，Ｄ４，Ｄ５，Ｄ２，Ｄ１，Ｆ３，Ｆ４，Ｆ１という順序で副画像データを生成してもよい。この場合、前述した図１６のフローチャートのステップＳ７１２で変数ｊ＝１に設定していたが、これに代えて、最優先ページのページ番号に設定する。そして、ステップＳ７１３で、ＣＰＵ１３は変数ｊが原画像データの最優先ページのページ番号に等しいか否かを判断していたが、これに代えて、変数ｊ＝１か否かを判断するようにし、変数ｊ＝１でなければ、ステップＳ７１４を変数ｊ＝ｊ−１のようにしてページ番号を小さくした後、ステップＳ７１５で変数ｊが示すページ番号のページについて副画像データが生成されるように置き換えればよい。
【０１１０】
（Ｃ−２：第８実施形態の変形例）
第８実施形態では、画像表示装置１は表示装置１８に最初に表示される、優先順位１位から優先順位Ｎ位までの原画像における最優先ページについて副画像データを生成・記憶した後、優先順位に従って各原画像データから１ページずつ、且つ、各原画像データにおけるページ順に従って連続して、最優先ページの次ページから最終ページまでについてページ番号が昇順となるように副画像データを生成する。そして、これらを生成し終えると、１ページ目から最優先ページの前ページまでについてページ番号が昇順となるように生成し、図１７に示すようなＡ３，Ｄ４，Ｆ３，Ａ１，Ｄ５，Ｆ４，Ｄ１，Ｆ１，Ｄ２いう順序で副画像データを生成していた。
この方法のほかに、画像表示装置１は最優先ページの前ページから１ページ目までについてページ番号が降順となるように副画像データを生成し、これらを生成し終えると、最終ページから最優先ページの次ページまでについてページ番号が降順となるように生成するようにしてもよい。つまり、図２５に示すようなＡ１，Ｄ２，Ｆ１，Ａ３，Ｄ１，Ｆ４，Ｄ５，Ｆ３，Ｄ４という順序で副画像データを生成してもよい。この場合、前述した図１８のフローチャートのステップＳ８０９で、ＣＰＵ１３は原画像データの最終ページについて副画像が生成されたか否かを判断していたが、これに代えて、１ページ目について副画像データが生成されたか否かを判断する。そして、生成されていなければ、ステップＳ８１０を変数ｊ（ｉ）＝ｊ（ｉ）−１のようにしてページ番号を小さくすればよい。またステップＳ８１５で、ＣＰＵ１３は変数ｊ（ｉ）＝１か否かを判断し、変数ｊ（ｉ）＝１であれば、まだ最終目ページについて副画像データが生成されていないため、ステップＳ８１６で変数ｊ（ｉ）＝１とする。また副画像データが生成されていれば、ステップＳ８１８を変数ｊ（ｉ）＝ｊ（ｉ）−１とし、ページ番号を小さくすればよい。
【０１１１】
また、画像表示装置１は最優先ページの次ページから最終ページまでについてページ番号が昇順となるように副画像データを生成し、これらを生成し終えると、最優先ページの前ページから１ページ目までについてページ番号が降順となるように生成してもよい。つまり、図２６に示すようなＡ３，Ｄ４，Ｆ３，Ａ１，Ｄ５，Ｆ４，Ｄ２，Ｆ１，Ｄ１という順序で副画像データを生成してもよい。この場合、前述した図１８のフローチャートのステップＳ８１５で変数ｊ（ｉ）が原画像データの最終ページのページ番号に等しければ、ステップＳ８１６で変数ｊ（ｉ）を最優先ページのページ番号に設定し、ステップＳ８１７で、変数ｊ（ｉ）＝ｊ（ｉ）−１とし、ページ番号を小さくして、変数ｊ（ｉ）が示すページ番号のページについて副画像データを生成すればよい。
【０１１２】
（Ｃ−３：第９実施形態の変形例）
第９実施形態では、画像表示装置１は表示装置１８に最初に表示される、優先順位１位から優先順位Ｎ位までの原画像における最優先ページについての副画像データと、優先順位Ｎ＋１位から優先順位Ｎ＋Ｍ位までの原画像に対応する副画像データを生成・記憶した後、優先順位に従って、各原画像データにおけるページ順に従って連続して、最優先ページの次ページから最終ページまでについてページ番号が昇順となるように副画像データを生成する。そして、これらを生成し終えると、１ページ目から最優先ページの前ページまでについてページ番号が昇順となるように生成する。つまり、図１９に示すようなＡ３，Ａ１，Ｄ４，Ｄ５，Ｄ１，Ｄ２，Ｆ３，Ｆ４，Ｆ１という順序で副画像データを生成していた。
この方法のほかに、画像表示装置１は優先順位に従い、最優先ページの前ページから１ページ目までについてページ番号が降順となるように副画像データを生成し、これらを生成し終えると、最終ページから最優先ページの次ページまでについてページ番号が降順となるように生成してもよい。つまり、図２７に示すようなＡ１，Ａ３，Ｄ２，Ｄ１，Ｄ５，Ｄ４，Ｆ１，Ｆ４，Ｆ３という順序で副画像データを生成してもよい。この場合、前述した図２０のフローチャートのステップＳ９１３で、ＣＰＵ１３は変数ｊが原画像データの最終ページのページ番号に等しいか否かを判断していたが、これに代えて、変数ｊ＝１か否かを判断するようにし、変数ｊ＝１でなければステップＳ９１４を変数ｊ＝ｊ−１のようにしてページ番号を小さくすればよい。またステップＳ９１９でも、変数ｊ＝ｊ＋１としていたが、ページ番号を小さくするように変数ｊ＝ｊ−１のように置き換えればよい。
【０１１３】
また、画像表示装置１は最優先ページの次ページから最終ページまでについてページ番号が昇順となるように副画像データを生成して、これらを生成し終えると、最優先ページの前ページから１ページ目までについてページ番号が降順となるように副画像データを生成してもよい。つまり、図２８に示すようなＡ３，Ａ１，Ｄ４，Ｄ５，Ｄ２，Ｄ１，Ｆ３，Ｆ４，Ｆ１という順序で副画像データを生成してもよい。この場合、前述した図２０のフローチャートのステップＳ９１６で、ＣＰＵ１３は変数ｊ＝１に設定していたが、これに代えて、最優先ページのページ番号に設定する。また、ステップＳ９１７で変数ｊが原画像の最優先ページのページ番号に等しいか否かを判断していたが、これに代えて、変数ｊ＝１か否かを判断するようにし、変数ｊ＝１でなければ、ステップＳ９１８を変数ｊ＝ｊ−１のようにしてページ番号を小さくした後、ステップＳ９１９で変数ｊが示すページ番号のページについて副画像データが生成されるように置き換えればよい。
【０１１４】
（Ｃ−４：第１０実施形態の変形例）
第１０実施形態では、画像表示装置１は表示装置１８に最初に表示される、優先順位１位から優先順位Ｎ位までの原画像における最優先ページについての副画像データと、優先順位Ｎ＋１位から優先順位Ｎ＋Ｍ位までの原画像に対応する副画像データを生成・記憶した後、優先順位に従って各原画像データから１ページずつ、且つ、各原画像データにおけるページ順に従って連続して、最優先ページの次ページから最終ページまでについてページ番号が昇順となるように副画像データを生成する。そして、これらを生成し終えると、１ページ目から最優先ページの前ページまでについてページ番号が昇順となるように副画像データを生成する。つまり、図２１に示すようなＡ３，Ｄ４，Ｆ３，Ａ１，Ｄ５，Ｆ４，Ｄ１，Ｆ１，Ｄ２いう順序で副画像データを生成していた。
この方法のほかに、画像表示装置１は最優先ページの前ページから１ページ目までについてページ番号が降順となるように副画像データを生成し、これらを生成し終えると、最終ページから最優先ページの次ページまでについてページ番号が降順となるように生成してもよい。つまり、図２９に示すようなＡ１，Ｄ２，Ｆ１，Ａ３，Ｄ１，Ｆ４，Ｄ５，Ｆ３，Ｄ４という順序で副画像データを生成してもよい。この場合、前述した図２２のフローチャートのステップＳ１０１３で、ＣＰＵ１３は原画像データの最終ページについて副画像が生成されたか否かを判断していたが、これに代えて、１ページ目について副画像データが生成されたか否かを判断する。そして、生成されていなければ、ステップＳ１０１４を変数ｊ（ｉ）＝ｊ（ｉ）−１のようにしてページ番号を小さくすればよい。またステップＳ１０１９で、ＣＰＵ１３は変数ｊ（ｉ）＝１か否かを判断し、変数ｊ（ｉ）＝１であれば、まだ最終目ページについて副画像データが生成されていないため、ステップＳ１０２０で変数ｊ（ｉ）＝１とする。また副画像データが生成されていれば、ステップＳ１０２２を変数ｊ（ｉ）＝ｊ（ｉ）−１とし、ページ番号を小さくすればよい。
【０１１５】
また、画像表示装置１は最優先ページの次ページから最終ページまでについてページ番号が昇順となるように副画像データを生成し、これらを生成し終えると、最優先ページの前ページから１ページ目までについてページ番号が降順となるように生成してもよい。つまり、図３０に示すようなＡ３，Ｄ４，Ｆ３，Ａ１，Ｄ５，Ｆ４，Ｄ２，Ｆ１，Ｄ１という順序で副画像データを生成してもよい。この場合、図２２のフローチャートのステップＳ１０１９で変数ｊ（ｉ）が原画像データの最終ページのページ番号に等しければ、ステップＳ１０２０で変数ｊ（ｉ）を最優先ページのページ番号に設定し、ステップＳ１０２１で、変数ｊ（ｉ）＝ｊ（ｉ）−１とし、ページ番号を小さくして、変数ｊ（ｉ）が示すページ番号のページについて副画像データを生成すればよい。
【図面の簡単な説明】
【０１１６】
【図１】本発明の実施形態に係る画像表示装置の構成を概念的に示した図である。
【図２】同実施形態に係る画像表示装置の管理テーブルの一例を示した表である。
【図３】第１実施形態に係る画像表示装置が行う処理の過程を説明する図である。
【図４】同実施形態に係る画像表示装置が実行する手順を示すフローチャートである。
【図５】第２実施形態に係る画像表示装置が行う処理の過程を説明する図である。
【図６】同実施形態に係る画像表示装置が実行する手順を示すフローチャートである。
【図７】第３実施形態に係る画像表示装置が行う処理の過程を説明する図である。
【図８】同実施形態に係る画像表示装置が実行する手順を示すフローチャートである。
【図９】第４実施形態に係る画像表示装置が行う処理の過程を説明する図である。
【図１０】同実施形態に係る画像表示装置が実行する手順を示すフローチャートである。
【図１１】第５実施形態に係る画像表示装置が行う処理の過程を説明する図である。
【図１２】同実施形態に係る画像表示装置が実行する手順を示すフローチャートである。
【図１３】第６実施形態に係る画像表示装置が行う処理の過程を説明する図である。
【図１４】同実施形態に係る画像表示装置が実行する手順を示すフローチャートである。
【図１５】第７実施形態に係る画像表示装置が行う処理の過程を説明する図である。
【図１６】同実施形態に係る画像表示装置が実行する手順を示すフローチャートである。
【図１７】第８実施形態に係る画像表示装置が行う処理の過程を説明する図である。
【図１８】同実施形態に係る画像表示装置が実行する手順を示すフローチャートである。
【図１９】第９実施形態に係る画像表示装置が行う処理の過程を説明する図である。
【図２０】同実施形態に係る画像表示装置が実行する手順を示すフローチャートである。
【図２１】第１０実施形態に係る画像表示装置が行う処理の過程を説明する図である。
【図２２】同実施形態に係る画像表示装置が実行する手順を示すフローチャートである。
【図２３】第７実施形態の変形例に係る画像表示装置が行う処理の過程を説明する図である。
【図２４】同実施形態の変形例に係る画像表示装置が行う処理の過程を説明する図である。
【図２５】第８実施形態の変形例に係る画像表示装置が行う処理の過程を説明する図である。
【図２６】同実施形態の変形例に係る画像表示装置が行う処理の過程を説明する図である。
【図２７】第９実施形態の変形例に係る画像表示装置が行う処理の過程を説明する図である。
【図２８】同実施形態の変形例に係る画像表示装置が行う処理の過程を説明する図である。
【図２９】第１０実施形態の変形例に係る画像表示装置が行う処理の過程を説明する図である。
【図３０】同実施形態の変形例に係る画像表示装置が行う処理の過程を説明する図である。
【符号の説明】
【０１１７】
１…画像表示装置、１１…優先順位決定部、１２…副画像生成部、１３…ＣＰＵ、１４…原画像記憶部、１５…メモリコントローラ、１６…副画像記憶部、１７…表示制御部、１８…表示装置、１９…通信制御部、２０…操作部、２１…ネットワーク、２２…外部表示装置。
【図１】
0004631699.tif 000002
【図２】
0004631699.tif 000003
【図３】
0004631699.tif 000004
【図４】
0004631699.tif 000005
【図５】
0004631699.tif 000006
【図６】
0004631699.tif 000007
【図７】
0004631699.tif 000008
【図８】
0004631699.tif 000009
【図９】
0004631699.tif 000010
【図１０】
0004631699.tif 000011
【図１１】
0004631699.tif 000012
【図１２】
0004631699.tif 000013
【図１３】
0004631699.tif 000014
【図１４】
0004631699.tif 000015
【図１５】
0004631699.tif 000016
【図１６】
0004631699.tif 000017
【図１７】
0004631699.tif 000018
【図１８】
0004631699.tif 000019
【図１９】
0004631699.tif 000020
【図２０】
0004631699.tif 000021
【図２１】
0004631699.tif 000022
【図２２】
0004631699.tif 000023
【図２３】
0004631699.tif 000024
【図２４】
0004631699.tif 000025
【図２５】
0004631699.tif 000026
【図２６】
0004631699.tif 000027
【図２７】
0004631699.tif 000028
【図２８】
0004631699.tif 000029
【図２９】
0004631699.tif 000030
【図３０】
0004631699.tif 000031